(57)【特許請求の範囲】
【請求項１】
広告媒体者運用サイトとしての第１の情報処理装置と、
当該第１の情報処理装置以外の情報処理装置であって、前記広告媒体者運用ウェブページに広告を掲載する第三者事業者サイトとしての第２の情報処理装置と、
各種情報を入力するための情報入力手段、情報入力データやその他の表示データを表示する表示手段、および各種制御や情報を処理する処理手段を有するユーザー端末装置と、
を備えており、
前記第１及び第２の情報処理装置と前記ユーザー端末装置とが、インターネットを介して接続されているウェブ広告システムにおいて、
前記第１の情報処理装置は、広告媒体者運用ウェブページを表示するためのコンテンツと、該広告媒体者運用ウェブページの所定のエリア内に前記第三者事業者の広告として表示する画像データプログラム製品を有しており、
前記第２の情報処理装置は、前記画像データプログラム製品から情報を受信したときに、対応する指示情報を生成する機能を有する情報処理プログラムと、前記画像データプログラム製品と前記第２の情報処理装置との間で情報の受け渡しを行なうために予め設定されているデータ送受信用プログラムファイルとを備えており、
前記ユーザー端末装置は、入力されたＵＲＬに基づいて前記第１の情報処理装置にアクセスすることにより、前記表示手段に広告媒体者運用ウェブページを表示するとともに、該表示された広告媒体者運用ウェブページの所定のエリア内に広告としての画像データプログラム製品を表示することが可能であり、
当該表示された画像データプログラム製品は、当該画像データプログラム製品内において、所望の情報の入力、該入力情報の前記第２の情報処理装置への送信、該送信の結果として第２の情報処理装置から送信される指示情報の受信、受信した指示情報に従った画像データプログラム製品内への当該指示情報の表示、をそれぞれ行なうプログラムを備えており、
前記画像データプログラム製品によって表示される広告及び前記データ送受信用プログラムファイルが、それぞれ固有の情報を持っており、
前記第２の情報処理装置は、前記画像データプログラム製品との通信の開始を前記情報処理プログラムで認識するとともに、前記データ送受信用プログラムファイルを該第２の情報処理装置から前記画像データプログラム製品に送信し、
前記画像データプログラム製品は、前記データ送受信用プログラムファイルを受信した後に、前記入力情報を該データ送受信用プログラムファイルに格納して、前記第２の情報処理装置に送信し、
次に、前記第２の情報処理装置は、前記情報処理プログラムによって前記入力情報に対応する指示情報を生成するとともに、該指示情報を前記データ送受信用プログラムファイルに格納して、前記画像データプログラム製品に送信する，
ようにして、前記画像プログラム製品と前記第２の情報処理装置とが、前記データ送受信用プログラムファイルにより双方向通信を行なう際に、前記固有の情報による識別を行うことで、セキュリティーを保った状態で、広告媒体者運用ウェブページの移動や再読み込みを含むページ全体の移動を行なうことなく、広告内での情報入力、情報収集およびコミュニケーションを可能にしたことを特徴とするウェブ広告システム。
【請求項２】
前記画像データプログラム製品のプログラムは、入力情報に文字が含まれている場合に、入力情報の可否，入力の継続，入力情報の確認，の少なくとも一つを行なうことを特徴とする請求項１記載のウェブ広告システム。
【請求項３】
前記システムを、アンケートキャンペーン、リアルタイムに変更される価格の表示、物品の通信販売、乗車券・航空券・映画館・劇場・コンサート・旅行・旅館・ホテル・スポーツイベントのリアルタイムな空き情報の表示、生産状況・在庫状況・配達状況のリアルタイムな表示、に利用したことを特徴とする請求項１又は２に記載のウェブ広告システム。
【発明の詳細な説明】
【技術分野】
【０００１】
本発明は、媒体者のウェブページ内に表示掲載する広告画像データと情報処理装置を活用した双方向コミュニケーションを可能にするウェブ広告システムに関するものである。
【０００２】
さらに詳しくは、ユーザー端末装置を使用して、表示されたウェブページやデジタル映像ページに、第三者事業者の広告として表示掲載している広告画像を、単なる第三者事業者の広告ページへのリンク画像としてではなく、ユーザー端末表示画面にて一度表示されたウェブページやデジタル映像ページから第三者事業者の広告ページへ移動する必要がなく、ユーザーは、情報入力が可能であり、入力情報の結果もそのユーザー端末表示画像内に表示されることによりストレスが軽減され、第三者事業者はスムーズに顧客情報やアンケート収集予約、購入の誘導、ユーザーへの返信等が可能となり、広告表示や掲載ページの提供者にとっては、ユーザーのページ（放送番組）滞在時間が長くなることにより、提供ページ（放送番組）の価値が高まるといった、三者間が最大限のメリットを享受することができる、拡張性の高い情報入力、情報収集およびコミュニケーションを可能にするための画像データを活用した方法、画像データプログラム製品、情報処理装置、およびシステムに関するものである。
【背景技術】
【０００３】
従来より、インターネット上のウェブサイト運用者（個人、法人含む）は数多く存在し、自らのサイトを告知し、またウェブサイト来訪者を増加させるべく検索エンジンやポータルサイトと呼ばれる、Yahoo、Infoseek、Excite、goo、msn、Nifty、Biglobe、So-net、DION、ODN、Googleや利用者の多い専門サイト（以下、広告媒体を提供する「媒体者」という。）自らのサイトにリンクさせたPR文言や自社ロゴ等でデザインした画像（バナー広告と呼ばれるもの）や告知文言（テキスト広告と呼ばれるもの）を掲載し、ユーザーにバナー広告やテキスト広告をクリックさせることで誘導を図っていた。
【０００４】
また、自らのサイト（以下、広告を出稿する「第三者事業者」という。）が会員登録やアンケート登録キャンペーン等を実施している場合には、第３者事業者は景品の告知や当選賞金等のメリットをユーザーに大々的に伝えるためにバナー広告やテキスト広告を媒体者に出稿し、ユーザーの興味を引くよう工夫を凝らしている。
【０００５】
さらに、画像作成の技術やアニメーションの技術が進むに従い、バナー広告もユーザーの目を引きクリックを誘導させるために、バナー広告のアニメーション化や、本当は当選していないがあたかも当選したかのようなギミック抽選をさせるバナー広告等も数多く掲載されるようになり、結局、これらは各種の思考を凝らしてはいるが、キャンペーンの参加場所、アンケートの入力先、商品の予約、購入先などは、第三者事業者のウェブサイトであり、ユーザーの参加を誘導するには、一度バナー広告やテキスト広告をクリックしてもらうしかなかった。
【０００６】
また、キャンペーン商品の購入を第三者事業者がウェブページ上で行なう際にも、バナー広告での告知しかできず、媒体者のウェブページ内で完結させるためには、第三者事業者の運用するシステムと媒体者のシステムを連動させるためのシステム構築費や場合によっては、業務提携費などの販売手数料的な費用の支払いが発生する等の問題があった。
【０００７】
媒体者のウェブページ上でユーザーの目には留まってもクリックされない限り、第３者事業者への来訪誘導は勿論のこと、会員登録やキャンペーン参加者の増加を見込むことは難しく、場合によっては費用対効果の低い広告プロモーション施策として終わってしまうことが頻繁にある。
【０００８】
そのため、媒体者は前述の理由により、第三者事業者からの広告出稿量が減ると同時に広告収入も激減し２００１年頃より、検索エンジン、ポータルサイトと呼ばれている大手媒体者の合併、運用停止も発生している。
【０００９】
媒体者として広告収入の増加を計るために媒体者運用サイトの価値を高める必要があり、第三者事業者が媒体の価値を計る基準は、サイト来訪者数や運用サイトの各ページ滞在時間または各ページに掲載のバナー広告やテキスト広告のクリック数が挙げられる。
【００１０】
媒体者としては、クリック数を上げるために、アニメーションやギミックを使った運用負荷のかかるバナー広告の出稿を可能にする一方で、ユーザーがバナー広告をすぐにクリックしてしまうことで、サイト滞在時間は減少してしまうといった矛盾が生じてしまう。
【００１１】
また、数多くのバナーや負荷のかかるアニメーションを使ったギミックバナー広告を安価に、また大量に提供するようになるが、収益が一時的に上がったとしても、媒体者運用ウェブページのユーザーに不快感を同時に与えてしまい、サイト来訪者数の減少にも繋がっている。
【００１２】
ユーザーにとっては、ユーザーが求める情報を探して媒体者運用サイトにアクセスしてきているにもかかわらず、バナー広告をクリックしてしまうと別の第三者事業者サイトに移動させられてしまう。
【００１３】
また、移動後の第三者事業者サイトのアンケート入力等の情報入力を行なうと、次のウェブページの再読み込みが自動的に行なわれてしまい、キャンペーンに参加しても、最後まで情報入力作業を完了するまでには数多くのステップを踏むようになり、特に予約や決済になるとユーザーが踏むステップが多くなることによりストレスを感じさせている。
【００１４】
さらに、ユーザーは、アニメーションバナー広告やギミックバナー広告など、積極的にユーザーに訴えかける広告が大量に掲載されることにより、インターネット本来の時間的、空間的な情報収集の自由を奪われている。
【発明の開示】
【発明が解決しようとする課題】
【００１５】
前述した背景技術の問題点は、ウェブサイトのみならず、現在のＶＯＤ（Video On Demand）や今後の衛星および地上波デジタル放送などTVを含み、ユーザー端末装置との双方向のデジタル映像、デジタル通信が可能なデジタル情報やデジタル映像ページを提供する媒体者、そして媒体者の運用するページに広告を出稿する第三者事業者およびページまたは広告を閲覧するユーザーとの関係においても容易に想定することができる。
【００１６】
ユーザーにとっては、１)バナー広告等の媒体者運用サイトに掲載している画像やアニメーション広告をクリックするとすぐに第三者事業者の運用サイトに移動してしまう、２)バナー広告の表示情報は、表示を開始し始めた時点での情報であり、タイムリーな情報を獲得することができない、３）バナー広告により誘導された第三者事業者の運用サイトの指示に従って入力をしても何度もサイトの再読み込み等が行なわれてしまい完了するまでに時間がかかってしまう、４）場合によっては情報入力後の結果（抽選結果や当選の可否）が直に出てこない、５）アニメーションを使ったバナー広告上の抽選やゲーム参加後の結果は、誘導の為のギミックであって本当の結果ではない、６）バナー広告等によりキャンペーン商品の情報は獲得できても、実際に予約、購入をする際には、第三者事業者の運用するウェブサイトへの移動が必須となっているなどの問題があった。
【００１７】
媒体者にとっては、1）効果的な広告掲載枠を提供できていない、２）広告を出稿する第三者事業者にユーザーを誘導するために、アニメーション等を活用した訴求力の高い、強制的なバナー広告を掲出しても、逆にユーザーのサイト来訪者数が減少してしまい、３）強制的な広告により媒体者運用サイトの滞在時間も減少してしまう等の問題があった。
【００１８】
また、第三者事業者にとっては、１）媒体者運用サイトからの効果的なユーザー誘導が行えず、２）ユーザーを誘導しても効率よくユーザーの情報入力やキャンペーンの参加誘導までは行なえていない、３）バナー広告を媒体者に提供した時点の情報をタイムリーに変更することができない、４）さらに、商品、チケット等の購入や予約の場合は、媒体者とのシステム連動や、広告費以外の販売手数料の支払いなどによるコストが発生する、５）媒体者運用サイトに広告を出稿しても費用対効果が低いなどの問題があった。
【００１９】
本発明は、上述した問題点を解消し、ユーザーが媒体者運用サイトに滞在したままで、広告画像をクリックしても第三者事業者運用サイトに移動することなく、情報入力やアンケート入力、キャンペーンの参加や抽選結果等の入力結果の確認や購入、予約等の作業が完了できる、情報入力、情報収集とコミュニケーションを可能にするための画像データを活用した方法を提供することで、ユーザーにストレスを与えることなく、第三者事業者は効果的なマーケティングプロモーションや、媒体者の運用するサイト内でのサービス・商品告知だけでなく、その広告スペースの中で、最新情報の提供や予約や商品販売が可能となり、ウェブページのみならず、デジタル映像ページの媒体者にとってもユーザー数の増加、サイト滞在時間の向上UP、効果的な広告媒体の提供が可能となり、収益の増加が見込めるといった、三者がメリットを享受できるシステム、画像データプログラム製品および情報処理装置を提供することを目的としている。
【課題を解決するための手段】
【００２６】
本発明の上記目的を達成するために、請求項１記載の発明に係るシステムは、広告媒体者運用サイトとしての第１の情報処理装置と、当該第１の情報処理装置以外の情報処理装置であって、前記広告媒体者運用ウェブページに広告を掲載する第三者事業者サイトとしての第２の情報処理装置と、各種情報を入力するための情報入力手段、情報入力データやその他の表示データを表示する表示手段、および各種制御や情報を処理する処理手段を有するユーザー端末装置と、を備えており、前記第１及び第２の情報処理装置と前記ユーザー端末装置とが、インターネットを介して接続されているウェブ広告システムにおいて、前記第１の情報処理装置は、広告媒体者運用ウェブページを表示するためのコンテンツと、該広告媒体者運用ウェブページの所定のエリア内に前記第三者事業者の広告として表示する画像データプログラム製品を有しており、前記第２の情報処理装置は、前記画像データプログラム製品から情報を受信したときに、対応する指示情報を生成する機能を有する情報処理プログラムと、前記画像データプログラム製品と前記第２の情報処理装置との間で情報の受け渡しを行なうために予め設定されているデータ送受信用プログラムファイルとを備えており、前記ユーザー端末装置は、入力されたＵＲＬに基づいて前記第１の情報処理装置にアクセスすることにより、前記表示手段に広告媒体者運用ウェブページを表示するとともに、該表示された広告媒体者運用ウェブページの所定のエリア内に広告としての画像データプログラム製品を表示することが可能であり、当該表示された画像データプログラム製品は、当該画像データプログラム製品内において、所望の情報の入力、該入力情報の前記第２の情報処理装置への送信、該送信の結果として第２の情報処理装置から送信される指示情報の受信、受信した指示情報に従った画像データプログラム製品内への当該指示情報の表示、をそれぞれ行なうプログラムを備えており、前記画像データプログラム製品によって表示される広告及び前記データ送受信用プログラムファイルが、それぞれ固有の情報を持っており、前記第２の情報処理装置は、前記画像データプログラム製品との通信の開始を前記情報処理プログラムで認識するとともに、前記データ送受信用プログラムファイルを該第２の情報処理装置から前記画像データプログラム製品に送信し、前記画像データプログラム製品は、前記データ送受信用プログラムファイルを受信した後に、前記入力情報を該データ送受信用プログラムファイルに格納して、前記第２の情報処理装置に送信し、次に、前記第２の情報処理装置は、前記情報処理プログラムによって前記入力情報に対応する指示情報を生成するとともに、該指示情報を前記データ送受信用プログラムファイルに格納して、前記画像データプログラム製品に送信する，ようにして、前記画像プログラム製品と前記第２の情報処理装置とが、前記データ送受信用プログラムファイルにより双方向通信を行なう際に、前記固有の情報による識別を行うことで、セキュリティーを保った状態で、広告媒体者運用ウェブページの移動や再読み込みを含むページ全体の移動を行なうことなく、広告内での情報入力、情報収集およびコミュニケーションを可能にしたことを特徴とする。
【００２７】
本発明のシステムは、請求項１記載の発明の如く構成したので、ユーザーは、
１）バナー広告等の媒体者運用サイトに掲載しているバナー広告画像やアニメーション広告をクリックしても第三者事業者の運用サイトに即座に移動することはなく、情報入力やアンケート入力、キャンペーンの参加や、第三者事業者の運用サーバーか返信される抽選結果等の入力結果の確認や購入、予約等の作業および第三者事業者の運用サーバーから返信される購入や予約の結果等確認することができる、
２）バナー広告の表示情報をその表示の開始からタイムリーに逐次、刻々と第三者事業者の運用サーバーから配信される最新情報を確認することができる、
３）第三者事業者に求める情報をバナー広告内で検索する事ができ、またその検索結果も第三者事業者の運用サーバーから返信された最新の情報として確認することができる、
４）情報入力後の結果（抽選結果や当選の可否等）が媒体者運用サイトですぐに判るのでユーザーはストレスを感じることがない、
５）媒体者運用サイトに掲載されているバナー広告等のキャンペーン商品の情報を得て、実際に予約や購入をするときは、第三者事業者の運用するウェブサイトへの移動をすることなく、媒体者運用サイト内でこれらの予約や購入を完結することができるのでユーザーはストレスを感じることがないなどの効果を奏することができる。
【００２８】
また、媒体者にとっては、
１）効果的な広告掲載枠を提供できる、
２）広告を出稿する第三者事業者がユーザーを誘導するために、アニメーション等を活用した訴求力の高い、バナー広告よりも媒体者運用サイトの滞在時間も増加させることができる等の効果を奏することができる。
【００２９】
さらに、第三者事業者にとっては、
１）媒体者運用サイトのみで効果的なユーザー誘導が行える、
２）アニメーションを使ったバナー広告上の抽選やゲーム参加後の結果をギミック等で誘導する必要なく直ちに正当な結果として返信することができるのでユーザーにストレスを与えずにすむ、
３）バナー広告内にて、ユーザーの情報入力やキャンペーンの参加誘導までを行なうことができるため、費用対効果の高い顧客情報の獲得また、目的のものに対するユーザー誘導を行なうことができる、
４）バナー広告を媒体者に情報を提供した時点から情報をタイムリーに変更することができる、
５）商品、チケット等の購入や予約の場合でも、媒体者とのシステム連動の必要がなく、そのため、広告費以外の販売手数料またシステム連動コストの支払いなどによるコストの発生がない、
６）媒体者運用サイトに広告を出稿した際の費用対効果が高いなどの効果を奏することができる。
【００３０】
本発明の請求項２に係る発明では、前記画像データプログラム製品のプログラムは、入力情報に文字が含まれている場合に、入力情報の可否，入力の継続，入力情報の確認，の少なくとも一つを行なうことを特徴とする。
【００３１】
本発明の請求項３に係る発明では、前記システムを、アンケートキャンペーン、リアルタイムに変更される価格の表示、物品の通信販売、乗車券・航空券・映画館・劇場・コンサート・旅行・旅館・ホテル・スポーツイベントのリアルタイムな空き情報の表示、生産状況・在庫状況・配達状況のリアルタイムな表示、に利用したことを特徴とする。
【発明を実施するための最良の形態】
【００３２】
以下、本発明の実施の形態について図面を参照して説明する。
【００３３】
図１は、本発明の実施におけるユーザー端末装置と情報処理装置との関係を説明するためのブロック図である。
【００３４】
図２は、本発明の実施におけるユーザー端末装置と第1の情報処理装置と第２の情報処理装置との関係を説明するためのブロック図である。
【００３５】
図３は、本発明の実施におけるユーザー端末装置の環境を説明するための図である。
【００３６】
図４は、本発明の実施におけるユーザー端末装置に第１の画像データプログラム製品が表示された状態における第１の画像データプログラム製品内におけるプログラムフローおよび当該プログラム製品と情報処理装置との関係を説明するための図である。
【００３７】
図５は、本発明の実施におけるユーザー端末装置に第２の画像データプログラム製品が表示された状態における第２の画像データプログラム製品内におけるプログラムフローおよび当該プログラム製品と第２の情報処理装置との関係を説明するための図である。
【００３８】
図６は、本発明の実施における、画像データプログラム製品を実際に活用したアンケートキャンペーンにおいて入力および抽選が行われている具体例を説明するための図である。
【００３９】
図７は、本発明の実施における、画像データプログラム製品を実際に活用した株価検索サービスにより株価を検索し自動的にリアルタイムに株価を表示している具体例を説明するための図である。
【００４０】
図８は、本発明の実施における、画像データプログラム製品を実際に活用したパソコンの販売サービスにおいて実際に商品情報を確認し、購入依頼および決済が行われている具体例を説明するための図である。
【００４１】
以下、本発明の実施の形態について図面を参照して説明する。
【００４２】
図1において、ユニホーム  リソース  ロケーター（ＵＲＬ：Uniform Resource Locator）に基づいたウェブページを表示するためのコンテンツまたはデジタル映像を表示するためのデジタル映像コンテンツや本発明の第1の画像データプログラム製品を持つ報処理装置１は、アパッチ（Apache）等のウェブサーバーアプリケーションとポストグレエスキューエル（PostgreSQL）等のデータベースアプリケーションおよびリナックス（Linux）等のデータベースサーバー用オーエス（ＯＳ）がインストールされており、これらは、必ずしも一台にインストールされる必要は無く、一個または又は複数のアプリケーションが複数台にインストールされていてもよく、情報配信受信サーバー１１、情報処理サーバー１２のように複数台で構成されてもよい。さらに、ウェブページを表示するためのコンテンツまたはデジタル映像を表示するためのデジタル映像コンテンツを持つ情報処理サーバー1が通信系統４により接続または連動された、第三者の情報処理サーバー１６を含めた構成となっていてもよい。
【００４３】
情報配信受信サーバー１１や情報処理サーバー１２は、ワールドワイドウェブ（ＷＷＷ）の標準プロトコルを用いてネットワーク（例えばインターネット）上でユーザー端末装置３から送られてくる指示（例えばＵＲＬ等）を受信し、この受信情報に応じてウェブページ（デジタル映像）構成コンテンツ１４や第１の画像データプログラム製品５を提供するための、サーバーソフトウェアがインストールされたハードウェアおよびソフトウェアコンポーネントと、ウェブページや画像データプログラム製品を表示したりするなどの当該機能をなすためのプログラムが設定されており、画像データプログラム製品から送信されるデータを受信し、受信した情報に基づいて処理し、処理結果を画像データプログラム製品に対して送信するためのハードウェアとソフトウェアコンポーネントの両方が含まれていれており、当該機能をなすためのプログラムが設定されていればよい。
【００４４】
ユーザー端末装置３は、図３に示すように各種情報入力するための情報入力手段と表示手段（ディスプレイ装置３１）と処理手段（コンピュータ本体３２）から構成されている。ＴＶのような場合はディスプレイ装置３１内にコンピューター本体３２が内蔵されているケースもあり、また携帯電話や各種ディスプレイ装置付の携帯端末装置の場合は、情報入力手段と表示手段と処理手段が一体型になっていてもよい。
【００４５】
前記情報入力手段としては、キーボード３３、マウス３４、携帯電話/ＰＤＡ３５、リモコン３６等市販の任意のものが使用でき、情報入力データやその他の表示データを表示する表示手段としてのディスプレイ装置３１は、液晶、プラズマ、ＣＲＴモニター、ブラウン管等の各種市販の任意のものを使用することができる。各種制御や情報を処理する処理手段であるコンピューター本体３２には、市販のオーエス（ＯＳ）と呼ばれるアプリケーションとインターネットを通じてウェブページを表示するためのマイクロソフト・インターネット・エクスプローラー（Microsoft Internet Explorer）またはネットスケープ・ナビゲーター（Netscape Navigator）等のブラウザソフト、映像データを表示する場合は、指定の市販またはフリーソフトがインストールされており、また前記コンピューター本体がTV番組を放映する場合はTVチューナー装置が装備されていればよい。さらに、コンピューター本体３２は本発明である第1の画像データプログラム製品を表示または起動させるためのマクロメデア（Macromedia）社のフラッシュプレヤー（FlashPlayer）やショックウエーブ  プレヤー（Shockwave Player）等の市販またはフリーの閲覧ソフトがインストールされており、これら情報入力手段、表示手段および情報処理手段はランケーブル等の有線または赤外線等による無線により連動されていればよい。
【００４６】
また、上記に示すユーザー端末装置と情報処理装置は、ウェブ、電波、短波、無線、衛星・地上波デジタル通信網を含む通信系統４で接続もしくは連動されている。
これにより、多数のユーザー端末装置からの情報処理装置に対する要求に応答または処理できる環境となっている。
【００４７】
上記のように構成された装置において、本発明の第1の画像データプログラム製品を利用実施の形態について図１および図４を参照しさらに説明する。
【００４８】
図１および図４に示すディスプレイ装置３１内にはブラウザが起動されており、ブラウザを介してウェブページ１５（デジタル映像ページ）を配信できる情報処理装置１内の情報配信受信サーバー１１は、典型的には少なくとも１つのインターネットプロトコルを（ＩＰ）アドレスと、おそらくドメイン名（１つまたは複数のＩＰアドレスを識別する名）を有し、ウェブページと第1の画像データプログラム製品は、固有のユニホームリソースロケーター（ＵＲＬ）によって識別されるように、情報配信受信サーバー１１に設定されており、または、ある一定の周波数またはアクセスポイントに、デジタル映像ページと第1の画像データプログラム製品を自動的に配信するように設定されている。
【００４９】
このような状態で、上記ユーザー端末装置３により、ディスプレイ装置３１に表示されたブラウザ内にＵＲＬを入力し、情報配信受信サーバー１１にアクセスまたは、周波数もしくはアクセスポイントを合わせることにより、ディスプレイ装置３１にウェブページ（またはデジタル映像ページ）１５と第1の画像データプログラム製品が表示される。
【００５０】
前記表示手段（ディスプレイ装置３１）に表示されたウェブページもしくはデジタル映像ページの所定のエリア内に表示された第1の画像データプログラム製品は、
第1の画像データプログラム製品が表示されている、ＵＲＬに基づいたウェブページまたはアクセスポイントに基づいて配信されているデジタル映像ページからの移動もしくは再読み込みを行なうことなく、第1の画像データプログラム製品内にて、情報入力や一部画像の移動や、ボタンのクリック等のインタラクティブな動作や表示ができるように、
情報入力プログラムＳ５０１、入力情報可否プログラムＳ５０２、入力継続判断プログラムＳ５０４、と入力情報確認プログラムＳ５０６を有するプログラムオブジェクト５０Ａと、目的に応じて、複数のプログラムオブジェクト５０Ｂ、５０Ｃ・・・・によって構成されており、情報入力プログラムＳ５０１にて要求された情報に対する収集情報の可否、継続可否の判断、入力情報の確認をすることが可能である。
【００５１】
ユーザー端末装置３により当該情報入力プログラムＳ５０１にて要求された情報が入力（尚、本発明において、入力には、文字入力だけでなく、クリック、ドラック、選択も含まれる。以下、同様。）されたときに、入力情報可否プログラムＳ５０２により当該入力情報の可否（例えば、メールアドレスの入力欄であれば、その入力欄に正しいメールアドレスが入力されているかどうか等）を判断し、目的（例えば、当該情報入力プログラムによって予め設定した入力や動作（クリックやチェック等）等）に応じた情報が入力されなかった場合は、Ｓ５０３にてエラーを表示すると同時に前記情報入力プログラムＳ５０１に戻すことができ、また別のプログラムオブジェクトを起動させるてもよい。
【００５２】
上記目的に応じた情報が入力されていた場合は、入力継続判断プログラムＳ５０４により、新しい入力を引続き行うかどうかの判断が入力継続判断プログラムＳ５０４にて行なわれる。
【００５３】
入力継続判断プログラムにて、入力継続、イエス（Ｙｅｓ）と判断された場合は、次のプログラムオブジェクト５０Ｂが起動し、当該プログラムオブジェクト５０Ｂによって構成された新たな入力欄や回答欄が第1の画像データプログラム製品５内に表示され、継続して情報入力プログラムＳ５０１にて要求された情報に対してユーザー端末装置３１により、さらに継続して入力することができ、入力情報確認プログラムＳ５０６にて、最終的に情報入力プログラムにて予め設定された要件に対してユーザーが入力したすべて（または一部でもよい）を認識することが可能である。
【００５４】
入力情報の可否判断や継続的な入力を必要としない場合には、各プログラムオブジェクト内の各プログラム要素（例えば、入力情報可否プログラムや入力継続判断プログラム等、プログラムオブジェクトを構成するプログラムの一部）が省略することができる。
【００５５】
さらに、第1の画像データプログラム製品５は、入力情報を確認した後に、入力した情報の一部もしくは全部である入力情報Ｓ５１５を、送信できる入力情報送信プログラムＳ５０７を有し、当該入力情報送信プログラムＳ５０７により、通信系統４を通じてウェブページもしくはデジタル映像ページの配信先である情報処理装置１との通信が可能となる。
【００５６】
また、第1の画像データプログラム製品５は、前記第1の画像データプログラム製品５より送信された入力情報を含むデータを受信した情報処理サーバー１２内の第1の画像データプログラム製品送信情報処理プログラム１３により、当該データが処理され、入力情報Ｓ５１５に対する処理結果として指示情報Ｓ５１６が新たに生成された後に当該画像プログラム製品に対して返信され、当該返信情報を受信することができる、指示情報受信プログラムＳ５０８を有している。
【００５７】
前記指示情報受信プログラムＳ５０８は、が受信した結果として、指示情報Ｓ５１６の指示に従って新たなプログラムを実行させる指示情報実行プログラムＳ５０９と、指示情報を表示させる指示情報表示プログラムＳ５１０を有し、第1の画像データプログラム製品５内に受信結果を表示させることができる。
【００５８】
また、指示情報実行プログラムＳ５０９により、新たなプログラムオブジェクト５０Ｄ・・・が必要に応じて起動し、新たな情報の入力が可能となり、また新たな入力情報が入力情報送信プログラムＳ５０７により情報処理装置１に送信されることにより、また新たな指示情報が返信され、必要に応じて一連のプログラムおよびプログラムオブジェクトを組み合わせることにより、当該画像データが一部または全部表示掲出されているウェブページの移動（ＵＲＬの変更）、再読み込み、転送、移動、デジタル映像ページを表示掲出している周波数もしくはアクセスポイントの変更を含むページ全体の移動もしくはその動作指示をユーザー処理端末装置により入力することなく、画像プログラム製品５内にて配信基の情報処理装置１とインタラクティブな通信が可能となり、情報入力、情報収集とコミュニケーションを可能にする。
【００５９】
また、第1の画像データプログラム製品５は、上記ユーザー端末装置３により、ディスプレイ装置３１に表示されたブラウザ内にＵＲＬを入力し、情報配信受信サーバー１１にアクセスし、または、周波数もしくはアクセスポイントを合わせることにより、ディスプレイ装置３１にウェブページ（デジタル映像ページ）１５と第1の画像データプログラム製品５または、デジタル映像ページ１５と第1の画像データプログラム製品５が表示され、ディスプレイ装置３１に表示された時点で、ウェブぺージまたはデジタル映像ページと配信元である情報処理装置1とは通信系統４を通じて通信が開始されている状態であるが、前記表示手段であるディスプレイ装置３１に表示されたウェブページもしくはデジタル映像ページの所定のエリア内に表示された第1の画像データプログラム製品５は、通信を行なわないように設定する事ができる。
【００６０】
前記第1の画像データプログラム製品に有するプログラムオブジェクト５０Ａの指示に従って、ユーザ端末装置３により当該画像データ５内に入力された情報が完了したことを入力情報確認プログラムＳ５０６が確認し、入力情報送信プログラムＳ７０７が起動した時点で、初めて情報処理装置１との通信を開始し始める。
【００６１】
これにより、多数のユーザーが同時に、ウェブページもしくはデジタル映像ページの所定のエリア内に表示された第1の画像データプログラム製品５をユーザー端末装置に表示させたとしても、第1の画像データプログラム製品と通信を行なう情報処理サーバーに対するアクセス負荷を軽減させることができる。
【００６２】
さらに、第1の画像データプログラム製品５は、情報処理装置１と通信を開始し始めると同時に、情報処理装置１内の情報処理サーバー１２内に予め設定してある、ソフトウェアプログラムが第1の画像データプログラム製品５との通信が開始されたことを認識し、当該画像データプログラム製品５と情報処理装置１間で入力情報の受け渡しを行なうために予め設定してあるプログラムファイルが起動し、当該画像データプログラム製品に対して当該プログラムファイルが送信され、当該プログラムファイルを第1の画像データプログラム製品５が受信し、当該プログラムファイルに入力情報Ｓ５１５を格納した上で、当該入力情報が格納された当該プログラムファイルを情報処理装置1に送信し、また第1の画像データプログラム製品送信情報処理プログラム１３により処理された結果として当該画像プログラム製品５に返信される指示情報Ｓ５１６も当該プログラムファイルに格納され、当該画像データプログラム製品５に送信される。
【００６３】
このように本発明のシステムはプログラムファイルを活用した送受信を当該画像プログラム製品５と当該情報処理装置１とが双方で行なうことにより、より高度なセキュリティーを保った状態で且つ、必要最低限のデータ送受信処理を行ない、情報処理装置１に対す付加が軽減させることができる。
【００６４】
図２は、ＵＲＬ（ユニホームリソースロケーター）に基づいたウェブページを表示するためのコンテンツまたは、デジタル映像を表示するためのデジタル映像コンテンツや本発明の第２の画像データプログラム製品６を持つ第1の情報処理装置１Ａは、アパッチ（Apache）等のウェブサーバーアプリケーションとポストグレ・エスキューエル（PostgreSQL）等のデータベースアプリケーションおよびリナックス（Linux）等のデータベースサーバー用オーエス（ＯＳ：Operating System  オペレーティング・システム）がインストールされており、これらは、必ずしも一台にインストールされる必要は無く、それぞれのアプリケーションが複数台にインストールされていてもよく、さらに情報配信・受信サーバーＡ１も複数台で構成されてもよい。
【００６５】
前記情報配信・受信サーバーＡ１は、ワールドワイドウェブ（ＷＷＷ）の標準プロトコルを用いてネットワーク（例えばインターネット）上でユーザー端末装置３から送られてくる指示情報を受信し、当該受信情報に応じてウェブページ（デジタル映像）構成コンテンツＡ２や第２の画像データプログラム製品を提供するための、サーバーソフトウェアがインストールされたハードウエアおよびソフトウェアコンポーネントの両方が含まれており、ウェブページや画像データプログラム製品を表示したりするなどの機能をなすためのソフトウェアプログラムが設定せれていればよい。
【００６６】
また、第2の情報処理装置２も情報受信・返信サーバー２１や情報処理サーバー２２のように複数台で構成されていてもよく、第2の画像プログラム製品２から送信される情報等のデータを受信し、受信した情報に基づいて処理し、処理結果を第２の画像データプログラム製品に対して送信するためのハードウェアとソフトウェアコンポーネントの両方が含まれており、当該機能をなすためのソフトウェアプログラムが設定されていればよい。
【００６７】
ユーザー端末装置３は、図３に示すように各種情報入力するための情報入力手段と表示手段（ディスプレイ装置３１）と処理手段として（コンピューター本体３２）から構成され、ＴＶのような場合はディスプレイ装置内にコンピューター本体３２が内臓されているケースもあり、また携帯電話や各種ディスプレイ装置付の携帯端末装置の場合は、情報入力手段、表示手段、および処理手段が一体型になっていてもよい。
【００６８】
情報入力手段は、キーボード３３、マウス３４、携帯電話/ＰＤＡ３５、リモコン３６等市販の任意のものが使用できる。情報入力データやその他の表示データを表示する表示手段としてのディスプレイ装置３１としては、液晶、プラズマ、ＣＲＴモニター、ブラウン管等の各種市販の任意のものを使用することができる。  各種制御や情報を処理する処理手段であるコンピューター本体３２は、市販のオーエス（ＯＳ：Operating System  オペレーティング・システム）と呼ばれるアプリケーションとインターネットを通じてウェブページを表示するためのMicrosoft Internet ExplorerまたはNetscape Navigator等のブラウザソフト、映像データを表示する場合は、指定の市販またはフリーソフト、TV番組であればTVチューナー装置が装備されていればよい。また、コンピューター本体３２は、本発明の第1の画像データプログラム製品を表示または起動させるためのMacromedia社のFlashPlayerやShockwave Player等の市販またはフリーの閲覧ソフトがインストールされており、これら情報入力手段と表示手段および情報処理する処理手段はランケーブル等の有線または赤外線等による無線により連動されていればよい。
【００６９】
また、上記ユーザー端末装置３、第1の情報処理装置１および第2の情報処理装置２は、ウェブ、電波、短波、無線、衛星・地上波デジタル通信網を含む通信系統４で接続もしくは連動されている。
【００７０】
これにより、多数のユーザー端末装置３からの第1の情報処理装置１Ａおよび第２の情報処理装置２に対する要求に応答または処理できる環境となっている。
【００７１】
上記のように構成された装置において本発明である、第2の画像データプログラム製品６を活用した実施の形態について図２および図5を参照しさらに説明する。
【００７２】
図２および図５において、ディスプレイ装置内31にはブラウザが起動されており、ブラウザを介してウェブページＡ2（デジタル映像構成コンテンツ）を配信できる情報配信・受信サーバーＡ1は、少なくとも１つのインターネットプロトコル（ＩＰ）アドレスと、ドメイン名（１つまたは複数のＩＰアドレスを識別する名）を有し、ウェブページＡ２と第2の画像データプログラム製品６は固有のユニホームリソースロケーター（ＵＲＬ）によって識別されるように、情報配信・受信サーバーＡ1に設定されており、または、ある一定の周波数またはアクセスポイントに、デジタル映像ページＡ２と第2の画像データプログラム製品６が自動的に配信できるように設定されていて、第2の画像データプログラム製品６から送信されるデータを受信し、受信した情報に基づいて処理し、処理結果を画像データプログラム製品６に対して送信するためのハードウェアとソフトウェアコンポーネントの両方が含まれている第2の情報処理装置２は第1の情報処理装置Ａとは別の少なくとも１つのインターネットプロトコル（ＩＰ）アドレスと、これに連動されたドメイン名（１つまたは複数のＩＰアドレスを識別する名）を有し、ウェブページＡ2とは別の固有のインターネットプロトコル（ＩＰ）アドレスまたはユニホームリソースロケーター（ＵＲＬ）によって識別されるように設定されている。
【００７３】
上記ユーザー端末装置３により、ディスプレイ装置31に表示されたブラウザ内にＵＲＬを入力し、情報配信・受信サーバーＡ1にアクセスし、または、周波数もしくはアクセスポイントを合わせることにより、ディスプレイ装置31にウェブページＡ2（デジタル映像ページ）と第2の画像データプログラム製品６が表示される。
【００７４】
前記表示手段であるディスプレイ装置３１に表示されたウェブページもしくはデジタル映像ページＡ２の所定のエリア内に表示された第2の画像データプログラム製品６は、
第2の画像データプログラム製品６が表示されている、ＵＲＬに基づいたウェブページまたはアクセスポイントに基づいて配信されているデジタル映像ページＡ２からの移動もしくは再読み込みを行なうことなく、第2の画像データプログラム製品６内にて、情報入力や一部または全部の画像の移動や、ボタンのクリック等の目的に応じたインタラクティブな動作や表示ができるよう、情報入力プログラムＳ701、入力情報可否プログラムＳ702、入力継続判断プログラムＳ704、入力情報確認プログラムＳ706を有するプログラムオブジェクト70Ａと、目的に応じて、複数のプログラムオブジェクト70Ｂ、70Ｃ・・・・によって構成され、情報入力プログラムＳ７０１にて要求された情報に対する収集情報の可否、継続判断、入力情報を確認することが可能である。
【００７５】
ユーザー端末装置3により当該情報入力プログラムＳ７０１にて要求された情報が入力（文字入力だけでなく、クリックやドラックや選択も含まれる。以下、同様。）されると、当該入力情報の可否を判断し（例えば、メールアドレスの入力欄であれば、その入力欄に正しいメールアドレスが入力されているかどうか等）、情報入力プログラムによって予め設定した入力や動作（クリックやチェック等）の要件が入力されなかった場合は、Ｓ703にてエラーを表示すると同時に情報入力プログラムＳ７０１に戻すことができ、また別のプログラムオブジェクトを起動させてもよい。
【００７６】
目的に応じた情報が入力された場合は、入力継続判断プログラムＳ７０４により、新しい入力を引続き行うかどうかの判断が行なわれる。
【００７７】
新しい入力を引続き行う必要がある場合は次のプログラムオブジェクト70Ｂが起動し、構成された新たな入力欄や回答欄が第2の画像データプログラム製品６内に表示され、継続して情報入力プログラムにて要求されたものに対してユーザー端末装置３により、さらに継続して入力することができ、入力情報確認プログラムにて、最終的情報入力プログラムにて予め設定された要件に対してユーザーが入力したすべて（または一部でもよい）の情報を認識することが可能である。
【００７８】
また、入力情報の可否判断や継続的な入力を必要としない場合には、プログラムオブジェクト内の各プログラム要素（例えば、入力情報可否プログラムや入力継続判断プログラム等、プログラムオブジェクトを構成するプログラムの一部）が省略されてもよい。
【００７９】
さらに、第2の画像データプログラム製品６は、入力情報を確認した後に、入力した情報の一部もしくは全部（入力情報の他に予め当該画像に設定しているデータも含まれる場合もある。）の入力情報Ｓ７１５を送信することができる入力情報送信プログラムＳ707を有し、入力情報送信プログラムＳ707により、通信系統４を通じて第2の画像プログラム製品６が表示されているウェブページもしくはデジタル映像ページの配信元である情報処理装置Ａ1とは異なる、別の固有のインターネットプロトコル（ＩＰ）アドレスまたはユニホームリソースロケーター（ＵＲＬ）により識別可能に設定されている第2の情報処理装置２との通信が可能となる。
【００８０】
第2の画像データプログラム製品６より送信されたデータを受信した第2の情報処理装置2は、その中にある第2の画像データプログラム製品送信情報の処理プログラム２３により、当該データが処理され、入力情報Ｓ７１５に対する処理結果として第2の画像データプログラム製品６に返信するために生成された指示情報Ｓ７１６を受信することを可能とする指示情報受信プログラムＳ７０８を有している。
【００８１】
指示情報受信プログラムＳ７０８は、受信した結果として、指示情報Ｓ７１６の指示に従って新たなプログラムを実行させる指示情報実行プログラムＳ７０９と、指示情報を表示させる指示情報表示プログラムＳ７１０を有し、第2の画像データプログラム製品６内に受信結果を表示させることができる。
【００８２】
また、指示情報実行プログラムＳ７０９により、新たなプログラムオブジェクト７０Ｄ・・・が必要に応じて起動し、新たな情報の入力が可能となる。また新たな入力情報が入力情報送信プログラムＳ７０７により第2の情報処理装置２に送信、返信され、必要に応じて一連のプログラムおよびプログラムオブジェクトを組み合わせることにより、当該画像データの一部または全部が表示されているウェブページの移動（URLの変更）、再読み込み、転送、移動、またはデジタル映像ページが表示されている周波数もしくはアクセスポイントの変更を含むページ全体の移動やその動作指示を、ユーザー処理端末装置３１により入力すること無く、画像プログラム製品６内にて、当該画像データが一部または全部を表示されているウェブページやデジタル映像ページの配信元である第1の情報処理装置Ａとは異なる別の第2の情報処理装置２とインタラクティブな通信が可能となり、情報入力、情報収集とコミュニケーションを可能にする。
【００８３】
また、第2の画像データプログラム製品６は、上記ユーザー端末装置３により、ディスプレイ装置31に表示されたブラウザ内にＵＲＬを入力し、情報配信・受信サーバーＡ1にアクセスし、または、周波数もしくはアクセスポイントを合わせることにより、ディスプレイ装置31にウェブページ（デジタル映像ページ）Ａ2と第2の画像データプログラム製品が表示され、ディスプレイ装置31に表示された時点では、ウェブぺージ（またはデジタル映像ページ）と当該コンテンツの配信元である第1の情報処理装置Ａとは、通信系統4を通じて通信が開始されている状態であるが、前記表示手段に表示されたウェブページ（もしくはデジタル映像ページ）の所定のエリア内に表示された第2の画像データプログラム製品６は、前記表示された時点では第2の情報処理装置２と何ら通信が行なわないように設定することができる。
【００８４】
前記第2の画像データプログラム製品６が有するプログラムオブジェクト７０Ａ…の各プログラムの一連の指示に従って、ユーザ端末装置３により当該第２の画像データプログラム製品６内に入力された情報が完了したことを入力情報確認プログラムＳ７０６が確認し、入力情報送信プログラムＳ707が起動した時点で、初めて第2の情報処理装置との通信を開始する。
【００８５】
これにより、多数のユーザーが同時に、ウェブページもしくはデジタル映像ページの所定のエリア内に表示された第1の画像データプログラム製品５をユーザー端末装置に表示させたとしても、第1の画像データプログラム製品と通信を行なう情報処理サーバーに対するアクセス負荷を軽減させることができる。
【００８６】
さらに、第2の画像データプログラム製品6が第2の情報処理装置２と通信を開始し始めると同時に、第2の情報処理装置2内の、情報処理サーバー22が第2の画像データプログラム製品６との通信が開始されたことを認識し、当該第２の画像データプログラム製品６と第2の情報処理装置２間で入力情報の受け渡しを行なうために、予め設定したプログラムファイルが起動され、当該第２の画像データプログラム製品に対して当該プログラムファイルが送信される。  第2の画像データプログラム製品６が当該プログラムファイルを受信し、当該プログラムファイルに入力情報Ｓ515を格納した上で、当該入力情報Ｓ７１５が格納された当該プログラムファイルを第2の情報処理装置２に送信し、また第2の画像データプログラム製品送信情報処理プログラム２３により処理された結果として当該画像データプログラム製品６に返信される指示情報Ｓ７１６も当該プログラムファイルに格納し、当該画像データプログラム製品６に送信することができる。
【００８７】
プログラムファイルには、入力情報送信プログラムＳ７０７のみに反応するように設定することが可能であり、第2の情報処理装置２に設定された固有のＩＰもしくはＵＲＬ間のみで送受信可能となっており、当該プログラムファイルを活用した送受信を当該画像データプログラム製品６と当該第２の情報処理装置２とが双方で行なうことにより、より高度なセキュリティーを保った状態で且つ、必要最低限のデータ送受信処理を行ない、第2の情報処理装置２に対する負荷が軽減させることもできる。
【実施例】
【００８８】
本発明の実施例を、図6を参照して説明する。
【００８９】
図6は、第１の発明の実施における、画像データプログラム製品を実際に活用したアンケートキャンペーンにおいて入力および抽選が行われている具体例を説明するための図である。
【００９０】
E-SHOP.COMという会社が第１の発明の第1の画像プログラム製品６を活用して、顧客登録キャンペーンを行なっている場合の具体例である。
【００９１】
HYPERLINK "http://www.yahoo.co.jp/" この実施例ではwww.yahoo.co.jpドメインのウェブページを運用するサーバーである情報処理装置1には、Yahooドメインのページを構成するコンテンツを配信することができるよう情報配信・受信サーバー11が設定されている。
【００９２】
さらにE-SHOP.COMが当該キャンペーンの目的を達成できるように制作された第1の画像プログラム製品５もYahooドメイン１１０のページに表示されるように設定されている。
【００９３】
さらに、情報処理サーバー１２として１台または複数台の情報処理装置の一部に、第1の画像プログラム製品からの送信データを受信し、受信したデータを処理し、処理した結果を返信するためのソフトウェアプログラム（第1の画像データプログラム製品送信情報の処理プログラム１３）が設定されている。
【００９４】
ユーザー端末装置３の操作により、ディスプレイ装置31にYahooのTOPページが表示されており、そのページの一部に第1の画像プログラム製品５により製作されたE-SHOP.COMのキャンペーンバナー１２０Ａ表示されている。
【００９５】
図4では、Yahooはウェブページ１５、E-SHOP.COMのキャンペーンバナーは画像データ５に相当する。
E-SHOP.COMのキャンペーンバナー広告１２０Ａ内には名前、住所、E-mailアドレス等の入力欄が表示されているが、図4で説明すると、これらが複数のプログラムオブジェクト５０Ａ…で構成されており、入力欄は１個または複数のボタンやチェックボックス等で表示されている。ユーザー端末装置３により、各プログムオブジェクトの情報入力プログラムＳ５０１の要求に応じて、例えば、名前（AAA…）、住所（KKKDDD）、メールアドレス等を順次入力した後にＯＫボタン１２２をクリックすると、入力情報可否プログラムＳ５０２により、入力情報の可否が判断され、「可」（Yes）の場合は入力継続判断プログラムＳ５０４により継続かどうか（情報入力が完了かどうか）の判断が行なわれる。この場合は継続となり、キャンペーンバナー広告１２０Ｃが表示される。
【００９６】
図７で表すように、既存のキャンペーンバナー広告では、この時点で他のURL（ドメイン）で運用されているウェブページに転送されるか、他のページの再読み込みがブラウザー内で自動的に行なわれることにより、表示変更が行なわれるが、本発明の第1の画像プログラム製品で作成されたE-SHOP.COMのキャンペーンバナー広告１２０Ａは、プログラムオブジェクト内の各プログラムにより入力内容がチェックされ、当該バナー広告内の表示のみが変更されていることが特徴の一つである。
【００９７】
続いて、入力継続判断プログラムＳ５０４にて「継続」（Yes）と判断された後に新たなプログラムオブジェクトが起動し、このプログラムオブジェクトには、入力内容を再表示する、という指示が含まれているため、１２３のようにキャンペーンバナー広告１２０Ｂにて当該バナー広告内に入力された内容がキャンペーンバナー広告１２０Ｃで表示され、さらに新たなチャンス[Chance]ボタンが表示されている。
【００９８】
入力内容を確認した後に、チャンス[Chance]ボタンをクリックすると、上記と同じくプログラムオブジェクト内のプログラムが判断した後に、継続ノー（No）となり入力情報確認プログラムＳ５０６により、入力情報送信プログラムＳ５０７が起動する。
【００９９】
これにより、先に入力した住所/名前/メールアドレス（Maiｌ）（その他、必要により、入力時間やその他キーとなる情報も含まれる。また、入力した全部の情報だけでなく住所/名前だけ、のように一部の情報の場合でもよい。）が入力情報Ｓ５１５として情報処理装置１内の情報配信・受信サーバー１１に送信され、情報処理サーバー１２が受信した後に第1の画像データプログラム製品送信情報処理プログラム１３内にて、データが格納され、格納されたことを認識した後に、抽選を行なう。
【０１００】
また、場合よっては入力情報Ｓ５１５として情報処理装置１内の情報配信・受信サーバー１１に送信され、情報処理サーバー１２が受信した後に13：第1の画像データプログラム製品送信情報処理プログラム１３内にて、抽選を行ない、抽選を行なった後にデータを格納してもよい。
【０１０１】
抽選結果および新たなプログラムオブジェクトの指示情報が生成され、指示情報Ｓ５１６としてE-SHOP.COMのキャンペーンバナー広告１２０Ｄに返信される。
【０１０２】
この場合の指示情報Ｓ５１６には、具体的には、キャンペーンバナー広告１２０Ｄ内に抽選結果「あたりＡ賞」の画面と表示指示１２５の色変更およびドラック可能なカードをドラックさせ１２８に照合さえせたら抽選結果を浮かび上がらせる等の指示情報が含まれているが、絵や図柄の情報が含まれていてもよい。
【０１０３】
指示情報Ｓ５１６をE-SHOP.COMのキャンペーンバナー広告１２０Ｄ内の指示情報受信プログラムＳ５０８が受信し、指示情報Ｓ５１６に従い、指示情報実行プログラムＳ５０９が起動し、新たなプログラムオブジェクトが起動することで、E-SHOP.COMキャンペーンバナー広告内における表示が１２０Ｃから１２０Ｄに変更される。
【０１０４】
ここにおいてもウェブページ１１０は変更されておらず、チャンス[Chance]ボタン１２４をクリックすると、入力情報等の必要な情報のみが情報処理装置１に送信され、情報処理装置１から返信された指示情報Ｓ５１６によってキャンペーンバナー広告１２０Ｃから１２０Ｄのようにバナー広告の表示のみが変更されている。
【０１０５】
１２５はドラック可能となり、この場合のプログラムオブジェクトには、入力情報可否プログラムＳ５０２に相当するものや入力継続判断プログラムＳ５０４に相当するものは含まれておらず、１２５がドラックされたかどうか、ドラックした後にバナー下のスペースに照合されたか否かの判断が行なわれ、照合されたときに入力情報確認プログラムＳ５０６が照合されたことを認識し、指示情報表示プログラムＳ５１０が起動し、指示情報Ｓ５１６により受信した抽選結果「あたり  Ａ賞」が１２０Ｅ内の１２８のように表示される。入力継続判断プログラムＳ５１２により継続が「無い」（No）と判断された場合は、ＥＮＤＳ５１４となる。
【０１０６】
また、抽選結果「あたり  A賞」表示後に、また新たな表示として、賞品送付先住所の入力欄やリンク先、「はずれ」の場合は、再抽選等プログラムの設定により様々な展開がバナー内にて行うことも可能である。
【０１０７】
このように本発明によれば、E-SHOP.COMのキャンペーンバナーはYahooウェブページ内で、自社ページに転送また、Yahooページ内での移動をすること無く、顧客データの収集が可能となり、ユーザーもその場で抽選結果を確認することが可能である。
【０１０８】
また、E-SHOP.COMキャンペーンバナーがデジタル映像ページ内、例えばクイズ番組やイベント番組等の番組映像内に表示されているときは、ユーザーはクイズやイベント番組を見ながら、アンケートに答えて、キャンペーンに参加することができ、また、クイズ番組と連動させたクイズ形式のアンケート内容がE-SHOP.COMキャンペーンバナー内に設定されているときは、番組とバナーを活用した立体感のあるキャンペーンを実施することができる。
【０１０９】
次に、第２の発明を活用した場合について説明する。
【０１１０】
HYPERLINK "http://www.yahoo.co.jp/" www.yahoo.co.jpのウェブページ１１０内に表示されたE-SHOP.COMのバナー広告１２０Ａは表示された時点で、通信系統４を通じて情報処理装置１との通信を常時開始しているが、第2の発明によると、第1の画像データプログラム製品により作成されたE-SHOP.COMバナーとはなんら通信を行なっていない状態である。
【０１１１】
E-SHOP.COMのバナー広告１２０Ａ内に設定されている各プログラムオブジェクトのプログラムに応じて、入力し、バナー広告１２０Ｃのステップまで到達したところでチャンス[Chance」ボタン124をクリックすると前記第１の発明と同様に入力情報確認プログラムＳ５０６により入力情報送信プログラムＳ５０７が起動して、初めて、情報配信・受信サーバー１１を通じて、情報処理サーバー１２との通信を開始する。
【０１１２】
これにより、多数（例えば１０，０００あるいは100,000端末）あるユーザー端末装置３によりアクセス可能な状態となっているが、同時にウェブページ１１０内のE-SHOP.COMバナー広告１２０Ａが表示されたとしても、ユーザーがユーザー端末装置３により、チャンス[Chance」ボタン１２４をクリックするまでは、情報配信・受信サーバー１１や情報処理サーバー１２との通信が開始せず、バナー広告１２０Ａを表示したユーザーが全員同時にチャンス[Chance」ボタン１２４をクリックすることはあり得ないため、第2の発明によって、余分な通信を回避することができ、E-SHOP.COMバナー１２０Ａと情報処理装置１との通信負荷を大幅に軽減すること事ができる。
【０１１３】
次に、第３の発明について説明する。ここでも、 HYPERLINK "http://www.yahoo.co.jp/" www.yahoo.co.jpウェブページ１１０内に表示されたE-SHOP.COMのバナー広告１２０Ａは表示された時点で、通信系統4を通じて情報処理装置１との通信を常時開始しているが、第1の画像プログラム製品５により作成されたE-SHOP.COMバナー広告１２０Ａはなんら通信を行なっていない状態である。
【０１１４】
E-SHOP.COMバナー広告１２０Ａ内に設定されている各プログラムオブジェクトのプログラムに応じて、入力し、バナー広告１２０Ｃのステップまで到達したところでチャンス[Chance」ボタン１２４をクリックすると前記第１、２の発明と同様に入力情報確認プログラムＳ５０６により入力情報送信プログラムＳ７０７が起動し、初めて、情報配信・受信サーバー１１を通じて、情報処理サーバー１２との通信を開始し始める。
これと同時に、情報処理サーバー１２内に設定された画像データプログラム製品送信情報処理プログラム１３がE-SHOP.COMバナー広告１２０Ａとの通信が開始されたことを認識し、同時にE-SHOP.COMバナー広告１２０Ａからのデータのみを受け付けるように情報処理サーバー１２に予め設定されたデータ送受信用プログラムファイルＰ１が情報処理サーバー１２から送信され、第1の画像データプログラム製品が当該プログラムファイルＰ1を読み込む。
【０１１５】
E-SHOP.COMバナー広告１２０からのデータのみを受付けるように設定するとは、E-SHOP.COMバナー広告１２０が表示されているウェブページ１１０のドメイン名指定（この場合はyahoo.co.jpであったり、IPでもよい）また、予めバナー広告内に組み込まれたID等その他E-SHOP.COMバナー広告を特定もしくは識別できる固有の情報を持たせておくことであり、この特定の情報に基づいてデータ送受信用プログラムファイルＰ１が送信されるように設定されていることである。
【０１１６】
また、ある場合において、E-SHOP.COMバナー広告１２０が前記プログラムファイルを情報処理装置１から読み込む際には、前記プログラムファイルＰ１の配信場所または当該バナー広告１２０の専用プログラムファイルであることが識別できるよう、固有のIPまたドメイン名もしくは、IDもしくは特定の識別できる固有の情報をプログラムファイル内に持たせることにより、専用のプログラムファイルしか読み込むことができないよう設定されていればよい。
【０１１７】
第３の発明によると、このプログラムファイルが情報処理サーバー１２から配信され、このファイル内に入力情報Ｓ515が格納され、さらにまた入力情報送信プログラムＳ５０７により情報処理装置１に送信される。
【０１１８】
情報処理サーバー１２は、E-SHOP.COMバナー広告１２０から送られてきたことをこの当該プログラムファイルが認識した後に、初めて指示情報Ｓ５１６を生成する。
【０１１９】
生成された指示情報Ｓ５１６はまた当該プログラムファイル内に格納され、指示情報Ｓ５１６としてE-SHOP.COMバナー広告１２０に対して送信される。
【０１２０】
E-SHOP.COMバナー広告１２０内の、指示情報受信プログラムＳ５０８は、情報処理サーバー12から送られてきた正当な指示情報であることを認識した後に、指示情報実行プログラムＳ５０９の実行へと進み、バナー広告１２０Ｄおよび１２０Ｅのようにプログラムオブジェクトが稼動する。
【０１２１】
これにより、多数（例えば  １０，０００あるいは100,000端末）あるユーザー端末装置３によりアクセス可能な状態となっているが、同時にウェブページ１１０内のE-SHOP.COMバナー広告１２０Ａに、ユーザーがユーザー端末装置３により、チャンス [Chance」ボタン１２４をクリックするまでは、情報配信受信サーバー１１や情報処理サーバー１２との通信が開始せず、バナー広告１２０Ａを表示したユーザーが全員同時にチャンス[Chance」ボタン１２４をクリックすることはあり得ないため、第３の発明によって、余分な通信を回避することができ、E-SHOP.COMバナー広告と情報処理装置１との通信負荷を大幅に軽減すること事ができると同時に、固有のプログラムファイルでの送受信を行なうことにより、全く別の第三者から送られてくる、不正確な情報を第1の画像プログラム製品が送受信することを回避することができ、高度なセキュリティーを保ったままで、E-SHOP.COMは第1の画像データプログラム製品を活用して、顧客登録キャンペーンを行ない、目的を達成することが可能である。
【０１２２】
次に、第４の発明の実施例について、図5および図6を参照して説明する。
【０１２３】
図６はE-SHOP.COMが第2の画像データプログラム製品を活用して、顧客登録キャンペーンバナー広告を制作し、YAHOO  JAPANに当該バナー広告を表示しているものとする。
【０１２４】
第４の発明の特徴は、第2の画像プログラム製品６を表示しているウェブページ１１０を運用するサーバー以外の第三者サーバー（主に、第2の画像プログラム製品６を活用してバナー広告を掲載する広告主が運用するサーバー）と、第2の画像データプログラム製品を活用して制作されたバナー広告のみとの通信（入力情報Ｓ715や指示情報Ｓ716の送受信）が可能となるところにある。
【０１２５】
第４の発明である図5で説明すると、ｙａｈｏｏ．ｃｏ.ｊｐドメインのウェブページを運用するサーバーが図5の第1の情報処理装置であり、Yahoo  ドメインのページを構成するコンテンツを配信することができるよう情報配信・受信サーバーＡ1内に設定されており、E-SHOP.COMが当該キャンペーンの目的を達成できるように制作された第２の画像データプログラム製品６も同時に当該情報処理装置Ａ内にてYahoo  ドメイン１１０のページに表示されるように設定されている。
【０１２６】
さらに、第2の情報処理装置２は、E-SHOP.COMが運用するドメインもしくは第2の画像データプログラム製品６とデータ送受信および送信データ処理することを可能にするために設定された、Yahoo以外の当該画像データプログラム製品６専用の情報処理装置であり、当該情報処理サーバー２２として１台または複数台ある情報処理装置の一部に、第2の画像データプログラム製品６からの送信データを受信し、処理し、処理した結果を返信するためのソフトウェアプログラム第2の画像データプログラム製品送信情報の処理プログラム２３）が設定されている。
【０１２７】
ユーザー端末装置３の操作により、ディスプレイ装置３１にYahooのウェブページ１１０が表示されており、このウエブページの一部(または全部)に第2の画像データプログラム製品６により作成されたE-SHOP.COMのキャンペーンバナー１２０Ａが表示されている。
【０１２８】
図5では、ディスプレイ装置内31のウエブページＡ２がYahoo１１０であり、画像データ６がE-SHOP.COMのキャンペーンバナー広告１２０Ａである。
【０１２９】
キャンペーンバナー広告１２０Ａ内には名前、住所、E-mailアドレスの入力欄１２１が表示されているが、図5で説明すると、これらが複数のプログラムオブジェクト70A・・・で構成されており、入力欄は一個または複数のボタンやチェックボックス等で表示されている。ユーザー端末装置により、各プログラムオブジェクトの情報入力プログラムの要求に応じて、名前（AAA・・・）、住所（KKKDDD）、メールアドレス（E-Mail）を順次入力した後にオーケー［OK］ボタン１２２をクリックすると、入力情報可否プログラムＳ７０２により、入力情報の可否が判断され、「可」（Yes）の場合は入力継続判断プログラムＳ７０４により継続可または否（情報入力が完了かどうか）の判断がなされる。この場合は継続可となり、バナー１２０Ｃが表示される。
【０１３０】
図6で示す表すとおり、既存のバナー広告では、この時点で他のURL（ドメイン）がで運用されているウェブページに転送されるか、他のページの再読み込みがブラウザー内で自動的に行なわれることにより、表示変更が行なわれるが、第2の画像データプログラム製品で作成されたE-SHOP.COMのキャンペーンバナー広告１２０は、プログラムオブジェクト内の各プログラムにより入力内容がチェックされ、バナー広告１２０内の表示のみが変更されていることが特徴の一つである。
【０１３１】
続いて、入力継続判断プログラムＳ７０４にて「継続」（Yes）と判断された後に新たなプログラムオブジェクトが起動し、このプログラムオブジェクトには（入力内容を再表示する。）という指示が含まれているため、表示１２３のようにバナー広告１２０Ｂにて当該バナー広告１２０内に入力された内容がバナー広告120Cで表示され、さらに新たなチャンス[Chance」ボタン１２４が表示されている。
【０１３２】
入力内容を確認した後に、チャンス[Chance」ボタン１２４をクリックすると、上記と同じくプログラムオブジェクト内のプログラムが判断し、継続否（No）となり入力情報確認プログラムＳ７０６により、入力情報送信プログラムＳ７０７が起動する。
【０１３３】
これにより、先に入力した住所/名前/Ｅ-Maiｌ（その他場合によっては、入力時間やその他キーとなる情報も含まれる。また、場合によっては、入力した全部の情報だけでなく住所/名前のように一部の情報の場合もある。）が入力情報Ｓ７１５として第2の情報処理装置２内の情報配信・受信サーバー２１に送信され、情報処理サーバー２２が受信した後に第2の画像データプログラム製品送信情報処理プログラム２３内にて、データが格納され、格納されたことを認識した後に、抽選を行なう。
【０１３４】
また、場合によっては、入力情報Ｓ７１５として第２の情報処理装置２内の情報配信・受信サーバー２１に送信され、情報処理サーバー２２が受信した後に第２の画像データプログラム製品送信情報処理プログラム２３内にて抽選が行われた後に、データが格納されてもよい。
【０１３５】
抽選結果および新たなプログラムオブジェクトの指示情報が生成され、指示情報Ｓ７１６としてE-SHOP.COMのキャンペーンバナー広告１２０Ｄに返信される。第2の画像データプログラム製品送信情報処理プログラム２３内の処理については、このキャンペーンに複数回参加していないかどうかの重複チェックや、他のサーバーに格納されているデータとの照合等、必要に応じてプログラムを設定すればよい。
【０１３６】
この場合の指示情報Ｓ７１６には、具体的には、抽選結果「あたりＡ賞」/画面１２０Ｄ、表示指示/125カード１２５の色変更およびドラック可能/カードをドラックさせ１２８に照合させて抽選結果を顕在させる等の指示情報が含まれている。  場合によっては、絵や図柄の情報が含まれていてもよい。
【０１３７】
抽選結果も「はずれです」「残念です。」等の表示を設定によって任意に変えることができることは容易に想像できる範囲である。
【０１３８】
これにより、指示情報Ｓ７１６を、E-SHOP.COMのキャンペーンバナー１２０Ｄ内の指示情報受信プログラムＳ７０８が受信し、指示情報Ｓ７１６に従い、指示情報実行プログラムＳ７１０が起動し、新たなプログラムオブジェクトが起動することで、E-SHOP.COMキャンペーンバナー広告内における表示が１２０Ｃから１２０Ｄに変更される。
【０１３９】
ここにおいても、ウェブページ１１０は変更されておらず、チャンス[Chance」ボタンをクリックすると、入力情報等必要な情報のみが当該バナー広告１２０を表示しているＹａｈｏｏのウェブページ１１０を運用している第1の情報処理装置Ａとはまったく独立した第三者（ここではE-SHOP.COMが運用者となっている。）の運用する第2の情報処理装置2に送信され、当該情報処理装置２から返信された指示情報をE-SHOP.COMバナー広告１２０が受信することによって、１２０Ｃから１２０Ｄのようにバナーのみ表示が変更されていることができる。
【０１４０】
さらに、この時点で、E-SHOP.COMは自社の運用する情報処理装置にＹａｈｏｏのウェブページ利用者の顧客を自社のウェブページに誘導することなく、Ｙａｈｏｏのウェブページ内に表示しているバナー広告120内にて顧客情報を獲得することが可能である。
バナー広告１２０Ｄ内に表示されたカード１２５はがドラック可能であり、この場合のプログラムオブジェクトには、入力情報可否プログラムＳ７０１に相当するものや入力継続判断プログラムＳ７０４に相当するものは含まれておらず、カード１２５がドラックされたかどうか、カード１２５をドラックした後にバナー広告下の定められた所定のスペースに照合されたかどうかの判断が行なわれ、照合されたときに入力情報確認プログラムＳ７０６が照合されたことを認識し、指示情報表示プログラムＳ７１０が起動し、指示情報Ｓ７１６により受信した抽選結果「あたり  A賞」がバナー広告１２０Ｅ内の１２８のように表示される。入力継続判断プログラムＳ７１２により継続が「無い」（No）と判断された場合は、ＥＮＤ S７１４となる。
【０１４１】
また、場合によっては、抽選結果「あたり  Ａ賞」表示後に、また新たな表示として、賞品送付先住所の入力欄やリンク先、「はずれ」の場合は、再抽選等プログラムの設定により様々な展開をバナー内にて行うことも可能となる。
【０１４２】
このように第４の発明では、E-SHOP.COMはYahooウェブページ内で、自社ページに転送また、Yahooページ内での移動をすること無く、顧客データの収集が可能となり、ユーザーもその場で抽選結果を確認することが可能となる。
[第５の発明の実施]
次に第５の発明を活用した場合について説明する。前述のように、ｙａｈｏｏ.ｃｏ.ｊｐ のウェブページ１１０内に表示されたバナー広告１２０Ａは表示された時点で、ウエブページ１１０は通信系統４を通じて第1の情報処理装置Ａとの通信を常時開始しているが、第2の画像データプログラム製品により作成されたE-SHOP.COMバナー広告１２０Ａはなんら通信を行なっていない状態である。
【０１４３】
E-SHOP.COMバナー広告１２０Ａ内に設定されている各プログラムオブジェクトのプログラムに応じて、入力し、バナー広告１２０Ｃのステップまで到達したところでチャンス[Chance」ボタン１２４をクリックすると、前述と同様に入力情報確認プログラムＳ７０６により入力情報送信プログラムＳ７０７が起動し、第2に情報処理プログラム２内の情報配信・受信サーバー21と通じて情報処理サーバー22との通信を開始する。
【０１４４】
これにより、多数（例えば  １０，０００あるいは100,000端末）あるユーザー端末装置によりアクセス可能な状態となっているが、ウェブページ１１０内のE-SHOP.COMのバナー広告120Ａが表示されていても、ユーザーがユーザー端末装置により、チャンス [Chance」ボタン１２４をクリックするまでは、情報配信・受信サーバー２１や情報処理サーバー２２との通信が開始せず、バナー広告１２０Ａを表示したユーザーが全員同時にチャンス[Chance」ボタン１２４をクリックすることはないため、余分な通信を回避することができ、E-SHOP.COMバナー広告と第2の情報処理装置２との通信負荷を大幅に軽減する事ができる。
【０１４５】
特に、ウェブサイト来訪者数の多いウェブサイトに、ウェブサイト運用者とは別の広告出稿主等である第三者が運用するサーバーとの双方向通信が可能な第2の画像プログラム製品を活用することになると、常時通信をした場合に、ユーザがユーザー端末装置に第2の画像プログラム製品を表示した回数分に相当するアクセスが情報処理サーバーに対して発生するため、バナー広告表示先のウェブサイト運用サーバーと異なり、一時的な集中と大量なアクセスに耐えうるだけの規模や容量を想定した情報処理サーバーが必要となる場合には、相当な負荷がかかることが予想されるが第5の発明を適用することによってこのような問題が解消されるという利点がある。
【０１４６】
[第６の発明の実施]
次に第６の発明について説明する。前述のように、ｙａｈｏｏ．ｃｏ.ｊｐウェブページ１１０内に表示されたバナー広告１２０Ａは表示された時点で、通信系統４を通じて第１の情報処理装置Ａとの通信を常時開始しているが、
第２の画像データプログラム製品により作成されたE-SHOP.COMのバナー広告１２０はなんら通信を行なっていない状態である。
【０１４７】
E-SHOP.COMバナー広告１２０内に設定されている各プログラムオブジェクトのプログラムに応じて、入力し、バナー広告１２０Ｃのステップまで到達したところでチャンス[Chance」ボタン１２４をクリックすると、前述と同様に入力情報確認プログラムＳ７０６により入力情報送信プログラムＳ７０７が初めて起動し、第2の情報処理装置２内の情報配信・受信サーバー２１と通じて情報処理サーバー２２との通信を開始する。
【０１４８】
これと同時に、情報処理サーバー２２内に設定された画像データプログラム製品送受信情報処理プログラム２３がE-SHOP.COMのバナー広告１２０との通信が開始されたことを認識し、同時にE-SHOP.COMのバナー広告１２０からのデータのみを受け付けるように予め設定されたデータ送受信用プログラムファイルＰ２が情報処理サーバー２２から送信され、第２の画像データプログラム製品が当該プログラムファイルＰ２を読み込む。
【０１４９】
E-SHOP.COMのバナー広告１２０からのデータのみを受付けるような設定とは、E-SHOP.COMのバナー広告１２０が表示されているウェブページ１１０のドメイン名指定（この場合はyahoo.co.jpであったり、IPでもよい）または、予めバナー広告１２０内に組み込まれたID等その他バナー広告１２０を特定できる固有の情報を持っていればよく、この予め設定した特定の認識情報を持っているE-SHOP.COMのバナー広告１２０に対して、データ送受信用プログラムファイルが送信されるように設定されていればよい。
【０１５０】
第６の発明によると、このプログラムファイルＰ２が情報処理サーバー２２から配信され、このファイル内に入力情報Ｓ715が格納され、さらにまた入力情報送信プログラムにより情報処理装置に送信される。
【０１５１】
情報処理サーバー２２は、E-SHOP.COMのバナー広告から送られてきたことを認識した後に、初めて指示情報を生成する。
生成された指示情報はまた当該プログラムファイル内に格納され、指示情報Ｓ７１６としてE-SHOP.COMのバナー広告１２０に対して送信される。
E-SHOP.COMのバナー広告１２０内の、指示情報受信プログラムＳ７０８は、情報処理サーバー２２から送られてきた正当な指示情報であることを認識した後に、指示情報プログラムＳ７０９の実行へと進み、E-SHOP.COMのバナー広告１２０Ｄおよび１２０Ｅのようにプログラムオブジェクトが稼動する。
【０１５２】
これにより、多数（例えば、１０，０００あるいは100,000端末）あるユーザー端末装置によりアクセス可能な状態となっているが、同時にウエブページ１１０内にE-SHOP.COMのバナー広告１２０Ａが表示されていても、ユーザーがユーザー端末装置により、チャンス[Chance」ボタン１２４をクリックするまでは、情報配信・受信サーバー２１や情報処理サーバー２２との通信が開始せず、バナー広告１２０Ａを表示したユーザーが全員同時にチャンス[Chance」ボタン１２４をクリックすることはあり得ないため、第６の発明によって、余分な通信を回避する事ができ、E-SHOP.COMのバナー広告１２０と第2の情報処理装置２との間の通信負荷を大幅に軽減することができると同時に、固有のプログラムファイルでの送受信を行なうことにより、全く別の第三者から送られてくる、不正確な情報の第２の画像データプログラム製品が送受信することを回避することができ、高度なセキュリティーを保ったままで、E-SHOP.COMは第2の画像データプログラム製品６を活用して、顧客登録キャンペーンを行ない、目的を達成することが可能である。
【０１５３】
[実施例]
第1の画像データプログラム製品を活用した別の実施例を、図7を基に説明する。
【０１５４】
図７は、本発明の実施における、画像データプログラム製品を株価検索サービスに活用することにより株価を検索し自動的にリアルタイムに株価を表示している具体例を説明するための図である。
【０１５５】
図７は、ある証券会社が第1の画像データプログラム製品を活用して、最新の株価情報をポータルサイトであるＢＩＧＬＯＢＥの政治・経済コーナー（ウェブページ）の閲覧者に対して提供しているものとする。
【０１５６】
この場合、ｂｉｇｌｏｂｅ．ｎｅ．ｊｐ ドメインのウェブページを運用するサーバーが図1の情報処理装置1であり、ｂｉｇｌｏｂｅ．ｎｅ．ｊｐ ドメイン内で展開される、様々なコーナーのウェブページを構成するコンテンツと同様に、政治・経済コーナのページを構成するコンテンツを配信することができるよう情報配信・受信サーバー１１内に設定されており、当該証券会社がサービスの目的を達成できるように制作された第1の画像データプログラム製品も同時に当該情報処理装置１内にてBIGLOBEドメイン１３０内の「政治・経済ページのTOPページ」（以下、「BIGLOBE政治経済TOP」という。）に表示されるように設定されている。
【０１５７】
さらに、情報処理サーバー１２として複数台ある情報処理装置1の一部に、第1の画像データプログラム製品からの送信データを受信し、受信したデータを処理し、処理した結果を返信するためのソフトウェアプログラム（第1の画像データプログラム製品送信情報の処理プログラム１３）が設定されている。
【０１５８】
ユーザー端末装置３の操作により、ディスプレイ装置３１には、BIGLOBE政治経済TOPが表示されており、このページの一部に第1の画像データプログラム製品により制作された当該証券会社の最新株価情報提供サービス-「On  Time  株価バナー」１４０が表示されている。
【０１５９】
図4で表わすと、BIGLOBE政治・経済TOP１３０はウエブページ１５、On  Time  株価バナー１４０Ａは画像データ５である。
On  Time  株価バナー140A内には、目的の株価を表示するための会社名、証券コードの入力欄が表示されているが、図4で説明すると、これら入力欄141や検索ボタン142は複数のプログラムオブジェクト50A・・・で構成されており、入力欄１４１はボタンやチェックボックス等の複数の入力欄が表示されていてもよい。
【０１６０】
ユーザー端末装置３により、各プログムオブジェクト５０Ａ…の情報入力プログラムＳ５０１の要求に応じて、ユーザーが目的としている会社名（AA株式会社）、住所(K-0012)等を順次入力した後に検索ボタン１４２をクリックすると、入力情報可否プログラムＳ５０２により、入力情報の可否が判断され、「可」（Yes）の場合は入力継続判断プログラムＳ５０４により継続かどうか（情報入力が完了かどうか）の判断が下される。
【０１６１】
この場合は、入力継続判断プログラムＳ５０４により、目的とする企業の株価を検索するための情報として、これ以上の情報入力が必要ないと判断され、入力情報送信プログラムＳ507が起動し、これにより、先に入力した「会社名」や「コード」（その他場合によっては、入力時間やその他キーとなる情報も含まれる。
【０１６２】
また、場合によっては、入力した全部の情報だけでなく「コード」だけのように一部の情報の場合もある。）が入力情報Ｓ５１５として情報処理装置１内の情報配信・受信サーバー１１に送信される。
【０１６３】
当該入力情報Ｓ５１５を情報配信・受信サーバー１１を通じて情報処理サーバー１２が受信した後に、第1の画像データプログラム製品送信情報処理プログラム１３内にて、データが格納され、格納された事を認識した後に、当該入力情報に含まれる、会社名/コードに一致する最新の株価を情報処理サーバー１２内から抽出し、最新の株価情報と新たなプログラムオブジェクトへの指示情報が生成され、指示情報Ｓ５１６としてのOn  Time  株価バナー１４０Ｂに返信される。
【０１６４】
図7で表すとおり、既存のバナー広告だと、この時点で他のURL（ドメイン）で運用されているウェブページに転送されるか、他のページの再読み込みがブラウザー内で自動的に行なわれることにより、表示変更が行なわれ、情報処理装置内で、入力したデータが正しいかどうかの判断を行なうが、第1の画像プログラム製品で制作されたOn  Time  株価バナー１４０Ａは、プログラムオブジェクト内の各プログラムにより入力内容がチェックされた後に、正しいデータとして、情報処理装置１に送信される。
【０１６５】
返信された指示情報Ｓ５１６を、On  Time  株価バナー１４０Ｂ内の指示情報受信プログラムＳ５０８が受信することで、On  Time  株価バナー１４０Ｂにて入力した会社名とコードに適応した、会社名およびどの時点での株価なのかを表す時間１４３と最新の株価１４４がOn  Time  株価バナー140Cの通り表示される。
この場合の指示情報Ｓ５１６には、具体的には、検索結果「AA株式会社の株価」/「検索時間」/および各情報を表示するための指示情報および、自動的に検索ボタン１４２をクリックするための指示情報が含まれている。
【０１６６】
このように、情報処理装置１より返信された指示情報Ｓ５１６を指示情報受信プログラムＳ５０８が受信した時に、指示情報実行プロググラムＳ５０９が起動し、指示情報内に含まれる、会社名および検索時間１４３、株価１４４を表示するよう、指示情報表示プログラムＳ５１０に指示することで、On  Time  株価バナー１４０Ｃの通り表示されている。
【０１６７】
また、指示情報Ｓ５１６に会社名や検索時間の他に、例えばＡＡ株式会社のＵＲＬも含まれていて、１４３の会社名（ＡＡ株式会社）がクリック可能となるようOn  Time  株価バナー内に設定しておく事により、当該会社のホームページにリンクし、当該会社のホームページにて情報を閲覧するようになっていてもよい。
この時点で、ユーザーはBIGLOBE政治・経済TOP１３０から他のページに強制的もしくは自動的に移動されること無く、またOn  Time  株価バナー140Ｃを含めたページ全体の再読み込みが行なわれることも無く、第1の画像データプログラム製品を活用したOn  Time  株価バナー１３０内にて、株価の検索および最新の株価情報の獲得が可能となる。
【０１６８】
さらに、指示情報Ｓ５１６内に含まれる、自動的に検索ボタン１４２をクリックするための指示情報により、入力継続判断プログラムＳ５１２により継続「Yes」と判断され、On  Time  株価バナー１４０Ｃ内で、新たなプログラムオブジェクトが起動すると同時に、例えば３分おきに、既に入力された会社名（AA株式会社）、コード（K-0012）が新たな入力情報として、前述同様に、確認および判断が行なわれ、情報処理装置１に送信され、また送信された結果として情報処理装置１から最新の株価情報を含む指示情報Ｓ５１６が返信され、返信された指示情報Ｓ５１６を指示情報受信プログラムＳ５０８が受信することで、On  Time  株価バナー１４０Ｄのように、自動的にAA株式会社の最新の株価１４６がOn  Time  株価バナー１４０Ｄ内に表示される。
【０１６９】
On  Time  株価バナー１４０Ｅもまた同様に、返信された当該指示情報Ｓ５１６内に含まれる、自動起動指示により、自動的に画像データプログラム製品内の各プログラムが起動するようになり、143（15：30）、145（15：33）、147（15：36）のように3分間隔で、On  Time  株価バナー１４０Ｂの１４１内にて一度入力された入力情報に基づき、On  Time  株価バナーと情報処理装置との間で定期的な送受信が行なわれることにより、最新の株価が表示される。
【０１７０】
On  Time  株価バナー１４０Ａ，１４０Ｂ、１４０Ｃ…が表示されているウェブページとは別に、画像データプログラム製品と情報処理装置との間のみで、双方向データ送受信を行なうことにより、ユーザーはウェブページ内記載の他の情報を閲覧しながら、自動的に最新の株価情報を獲得することが可能である。
【０１７１】
また、指示情報またOn  Time  株価バナー内のプログラムの設定により1分間隔または数秒間隔（また、数秒以下でもよい）の最新株価表示も可能である。また141内に新たな会社名また新たなコードを入力することにより、他の会社の新たな情報を表示することも可能である。
【０１７２】
また、表示される株価情報１４４、１４６、１４８の最新株価情報を時系列に並べて表すことも時系列を図で表示させることも可能である。
【０１７３】
また、情報処理サーバー１２と他の複数の企業情報が格納された図1の第三者情報処理サーバー１６と連動させることにより、例えば、第三者情報処理サーバー１６が帝国データバンク等の企業情報の提供会社が運営するサーバーであれば、前述の入力情報である会社名/コードを1：情報処理サーバー１２が受信し、当該会社名にあった株価以外の他の会社情報を第三者情報処理サーバー１６から抽出し、指示情報Ｓ５１６内に株価とあわせて返信することにより、On  Time  株価バナー１４０内にて、株価以外の最新の会社情報を表示することも可能である。
【０１７４】
その結果、ユーザーはBIGLOBE政治・経済TOPページ１３０内で、当該証券会社の運用するウェブページへの転送また、BIGLOBEページ内での移動をすること無く、最新の株価情報の取得が可能である。
【０１７５】
また、On  Time  株価バナー１４０がデジタル映像ページ内、例えばドラマやニュース等の番組映像内に表示されていたとすれば、ユーザーはドラマやニュースを見ながら、目的の会社の株価情報を検索することができ、また随時更新された最新の株価をディスプレイ上で閲覧することができる。
[実施例]
前述のように、 HYPERLINK "http://www.biglobe.ne.jp/" www.biglobe.ne.jp１３０ドメイン内のBIGLOBE政治・経済TOPページと当該ウェブページ内に表示された、On  Time  株価バナー１４０Ａは、表示された時点で、通信系統4を通じて情報処理装置１との通信を常時開始しているが、
第2の発明によると、第1の画像データプログラム製品により制作されたOn  Time  株価バナー１４０Ａはなんら通信を行なっていない状態である。
On  Time  株価バナー１４０Ａ内に設定されている各プログラムオブジェクトのプログラムに応じて、入力し、On  Time  株価バナー１４０Ｂのステップまで到達したところで「検索」ボタン１４２をクリックすると前述同様に入力情報確認プログラムＳ５０６により入力情報送信プログラムＳ５０７が起動すると、初めて、入力情報送信プログラムＳ５０７により、通信開始用の指示情報が入力情報とは別に、予め設定したあるコード値となるものを送信し、情報配信受信サーバー１１を通じて、情報処理サーバー１２との通信を開始し始めるようになる。
【０１７６】
これにより、多数（例えば  １０，０００あるいは100,000端末）あるユーザー端末装置によりアクセス可能な状態となっているが、同時にBIGLOBE政治・経済TOPページ１３０内のOn  Time  株価バナー１４０Ａが表示されたとしても、ユーザーがユーザー端末装置により、「検索」ボタン１４２をクリックするまでは、情報配信受信サーバー11や情報処理サーバー12との通信が開始せず、On  Time  株価バナー１４０Ａを表示したユーザーが全員同時に「検索」ボタン１４２をクリックすることはあり得ないため、第2の発明によって、余分な通信を回避することができ、On  Time  株価バナーと情報処理装置との通信負荷を大幅に軽減する事ができる。
[実施例]
前述のように、 HYPERLINK "http://www.biglobe.ne.jp/" www.biglobe.ne.jp  ドメイン内のBIGLOBE政治・経済TOPページ１３０と当該ウェブページ内に表示されたOn  Time  株価バナー１４０Ａは表示された時点で、通信系統４を通じて情報処理装置との通信を常時開始しているが、
第3の発明によると、ウェブページ１３０は通信を開始していても、第1の画像データプログラム製品により制作されたOn  Time  株価バナー１４０はなんら通信を行なっていない状態である。
【０１７７】
On  Time  株価バナー１４０内に設定されている各プログラムオブジェクトのプログラムに応じて、入力し、On  Time  株価バナー１４０Ｂのステップまで到達したところで「検索」ボタン１４２をクリックすると前述同様に入力情報確認プログラムＳ５０６により入力情報送信プログラムＳ５０７が起動すると、通信開始用の指示情報が入力情報とは別に、予め設定したあるコード値となるものを送信し、情報配信受信サーバー１１を通じて、情報処理サーバー１２との通信を開始し始めるようになる。
【０１７８】
これと同時に、情報処理サーバー１２内に設定された画像データプログラム製品送受信情報処理プログラム１３との通信が開始されたことを認識し、同時にOn  Time  株価バナー１４０からのデータのみ受付けるように設定されたデータ送受信用プログラムファイルＰ１が起動する。
On  Time  株価バナー１４０からのデータのみ受付けるように設定するには、On  Time株価バナー１４０が表示されているウェブページのドメイン名指定（この場合はbiglobe.ne.jp  であったり、IPでもよい）また、予めバナー内に組み込まれたID等その他On  Time  株価バナーを特定もしくは識別できる固有の情報を持たせておいてもよく、この特定の情報に基づいてデータ送受信用プログラムファイルＰ１が送信されるように設定されていればよい。
【０１７９】
また、On  Time  株価バナーがプログラムファイルを情報処理装置１から読み込む際には、プログラムファイルの配信場所また当該バナーの専用プログラムファイルであることが識別できるよう、固有のIPまたはドメイン名もしくは、IDもしくは特定の識別できる固有の情報をプログラムファイル内に持たせることにより、専用のプログラムファイルのみ読み込むことができるように設定されていればよい。
【０１８０】
第3の発明によると、このプログラムファイルが情報処理サーバー１２から送信されると同時に、画On  Time  株価バナー１４０がこのファイルを読み込み、当該プログラムファイル内に入力情報Ｓ５１５が格納され、さらにまた入力情報送信プログラムＳ５０７により情報処理装置１に送信される。
【０１８１】
情報処理サーバー１２は、On  Time  株価バナー１４０から送られてきたことをこの当該プログラムファイルを受信することで認識し、初めて指示情報を生成する。
生成された指示情報はまた当該プログラムファイル内に格納され、指示情報Ｓ５１６としてOn  Time  株価バナー１４０に対して送信される。
On  Time  株価バナー１４０内の、指示情報受信プログラムＳ５０８は、情報処理サーバー１２から送られてきた正当な指示情報であることを認識した後に、指示情報プログラムの実行へと進み、On  Time  株価バナー140Ｃまたは１４０Ｄのようにプログラムオブジェクトが稼動することで、ユーザーの目的にあった最新の株価情報を表示および自動再検索を行なう。
【０１８２】
これにより、多数（例えば  １０，０００あるいは100,000端末）あるユーザー端末装置によりアクセス可能な状態となっているが、同時にBIGLOBE政治・経済TOPページ１３０内のOn  Time  株価バナー１４０Ａが表示されたとしても、ユーザーがユーザー端末装置により、「検索」ボタン１４２をクリックするまでは、情報配信受信サーバー11や情報処理サーバー12との通信が開始せず、On  Time  株価バナー１４０Ａを表示したユーザーが全員同時に「検索」ボタン１４２をクリックすることはあり得ないため、第3の発明によって、余分な通信を回避する事ができ、On  Time  株価バナー１４０Ａと情報処理装置１との通信負荷を大幅に軽減することができると同時に、固有のプログラムファイルでの送受信を行なうことにより、全く別の第三者から送られてくる、不正確な情報の第1の画像データプログラム製品が送受信することを回避することができ、高度なセキュリティーを保ったままで、当該証券会社は第1の画像データプログラム製品を活用して、最新の株価情報をユーザーに提供することができ、目的を達成することが可能である。
[実施例]
第2の画像データプログラム製品を活用した場合について図7を基に説明する。
【０１８３】
図7はある証券会社が第2の画像データプログラム製品を活用して、最新の株価情報をポータルサイトであるＢＩＧＬＯＢＥの政治・経済コーナーのウェブページにおけるTOPページ（以降、「BIGLOBE政治・経済TOP」という。）の閲覧者に対して提供しているものである。
【０１８４】
第４の発明によれば、第2の画像プログラム製品を表示しているウェブページを運用するサーバー以外の第三者サーバー（主に、第2の画像プログラム製品を活用してバナー広告を掲載する広告主が運用するサーバー）と、第2の画像プログラム製品を活用して制作されたバナーのみとの通信（入力情報Ｓ７１５や指示情報Ｓ７１６の送受信）が可能となる。
【０１８５】
第４の発明を図5で説明すると、 HYPERLINK "http://www.biglobe.ne.jp/" www.biglobe.ne.jp ドメインのウェブページを運用するサーバーが図2の第1の情報処理装置Ａであり、biglobe.ne.jpドメインのページを構成するコンテンツ（BIGLOBE政治・経済コーナーのウェブページを構成するコンテンツも含まれる。）を配信することができるよう情報配信・受信サーバーＡ1が第１の情報処理装置Ａ内に設定されており、On  Time  株価バナーが当該サービスの目的を達成できるように制作された第1の画像データプログラム製品も同時に第1の情報処理装置Ａ内にてBIGLOBE政治・経済TOPのページ１３０に表示されるように設定されている。
【０１８６】
さらに、第2の情報処理装置2は、On  Time  株価バナーが運用するためのドメインに連動されているか、もしくは第2の画像データプログラム製品との間で、データの送受信および送信データ処理をすることを可能にするために設定された、biglobe.ne.jpドメインを運用もしくは、当該ウェブページを構成するコンテンツを配信するための情報処理装置以外の第2の画像データプログラム製品専用（もしくは兼用）の情報処理装置であり、当該情報処理サーバーとして１台または複数台ある情報処理装置の一部に、第2の画像データプログラム製品からの送信データを受信し、受信したデータを処理し、処理した結果を返信するためのソフトウェアプログラム（第2の画像データプログラム製品送信情報の処理プログラム２３）が設定されている。
【０１８７】
ユーザー端末装置の操作により、ディスプレイ装置３１にBIGLOBE政治・経済TOPページ１３０が表示されており、ページの一部に第2の画像プログラム製品により制作されたOn  Time  株価バナー１４０Ａが表示されている。
【０１８８】
図5で表わすと、ディスプレイ装置31内のウエブページＡ２がBIGLOBE政治・経済TOPページ１３０、画像データ６が：On  Time  株価バナー１４０である。
【０１８９】
株価バナー１４０Ａ内には、目的の株価を表示するための会社名、証券コードの入力欄が表示されているが、
図５で説明すると、これら入力欄１４１や検索ボタン１４２は複数のプログラムオブジェクト50Ａ・・・で構成されている。
【０１９０】
また、場合によっては、入力欄にボタンやチェックボックス等の複数の他の入力欄が表示されていてもよい。
【０１９１】
ユーザー端末装置により、各プログムオブジェクトの情報入力プログラムの要求に応じて、ユーザーが目的としている会社名（AA株式会社）、住所(K-0012)を順次入力した後に検索ボタン１４２をクリックすると、入力情報可否プログラムＳ７０２により、入力情報の可否が判断され、「可」（Yes）の場合は入力継続判断プログラムＳ７０４により継続かどうか（情報入力が完了かどうか）の判断が下される。
【０１９２】
この場合は、入力継続判断プログラムＳ７０４により、目的とする企業の株価を検索するための情報として、これ以上の情報入力が必要ないと判断され、入力情報送信プログラムＳ７０７が起動し、これにより、先に入力した「会社名」や「コード」（その他場合によっては、入力時間やその他キーとなる情報も含まれる。また、場合によっては、入力した全部の情報だけでなく「コード」だけのように一部の情報の場合もある。）が入力情報Ｓ７１５として第２の情報処理装置２内の情報受信・返信サーバー２１に送信される。
【０１９３】
当該入力情報を当該証券会社が運用する情報処理サーバー２２が受信した後に情報処理サーバー２２内の第2の画像データプログラム製品送信情報の処理プログラム２３内にて、データが格納され、格納されたことを認識した後に、当該入力情報に含まれる、会社名/コードに一致する最新の株価を情報処理サーバー２２内から抽出し、最新の株価情報と新たなプログラムオブジェクトへの指示情報が生成され、指示情報Ｓ７１６としてのOn  Time  株価バナー140Ｂに返信される。
返信された指示情報Ｓ７１６を、On  Time  株価バナー１４０Ｂ内の指示情報受信プログラムＳ７０８が受信することで、On  Time  株価バナー１４０Ｂにて入力した会社名とコードに適応した、会社名およびどの時点での株価なのかを表す時間１４３と最新の株価１４４がOn  Time  株価バナー１４０Ｃの通り表示される。
【０１９４】
第４の発明によれば、図7で表すとおり、既存のバナー広告だと、この時点で他のURL（ドメイン）で運用されているウェブページに転送されるか、他のページの再読み込みがブラウザー内で自動的に行なわれることにより、表示変更が行なわれ、第2の情報処理装置２内で、入力したデータが正しいかどうかの判断を行なうが、第1の画像プログラム製品で制作されたOn  Time  株価バナー１４０Ａは、プログラムオブジェクト内の各プログラムにより入力内容がチェックされた後に、正しいデータとして、第2の情報処理装置2に送信される。
【０１９５】
この場合の指示情報Ｓ７１６には、具体的には、検索結果「AA株式会社の株価」/「検索時間」/および各情報を表示するための指示情報および、自動的に検索ボタン142をクリックするための指示情報が含まれている。
【０１９６】
そのため、第2の情報処理装置２より返信された指示情報を指示情報受信プログラムＳ７０８が受信した時に、指示情報実行プロググラムＳ７０９が起動し、指示情報内に含まれる、会社名および検索時間１４３、株価１４４を表示するよう、指示情報表示プログラムＳ710に指示することで、On  Time  株価バナー140Cの通り表示される。
【０１９７】
また、指示情報Ｓ５１６に会社名や検索時間の他に、例えばＡＡ株式会社のＵＲＬも含まれていて、１４３の会社名（ＡＡ株式会社）がクリック可能となるようOn  Time  株価バナー内に設定しておく事により、当該会社のホームページにリンクし、当該会社のホームページにて情報を閲覧するようになっていてもよい。
【０１９８】
この時点で、ユーザーはBIGLOBE政治・経済TOPから他のページに強制的もしくは自動的に移動されること無く、またOn  Time  株価バナー140Ｃを含めたページ全体の再読み込みが行なわれることも無く、第2の画像データプログラム製品を活用したOn  Time  株価バナー１４０内にて、株価の検索や最新の株価情報などの獲得が可能となる。
【０１９９】
さらに、指示情報Ｓ７１６内に含まれる、自動的に検索ボタン１４２をクリックするための指示情報により、入力継続判断プログラムＳ７１２により継続「Yes」と判断され、On  Time  株価バナー１４０Ｃ内で、新たなプログラムオブジェクトが起動すると同時に、例えば、３分おきに、既に入力された会社名（AA株式会社）、コード（K-0012）が新たな入力情報として、前述同様に、確認および判断が行なわれ、第2の情報処理装置２に送信され、また送信された結果として第2の情報処理装置２から最新の株価情報を含む指示情報が返信され、返信された指示情報を指示情報受信プログラムが受信することで、On  Time  株価バナー１４０Ｄのように、自動的にAA株式会社の最新の株価１４６がOn  Time  株価バナー１４０Ｄ内に表示される。
【０２００】
On  Time  株価バナー１４０Ｅもまた同様に、返信された当該指示情報に内に含まれる、自動起動指示により、自動的に画像データプログラム製品内の各プログラムが起動するようになり、時刻１４３（１５:３０）、１４５（１５:３３）、１４７（１５:３６）のように3分間隔で、On  Time  株価バナー１４０Ｂの１４１内にて一度入力された入力情報に基づき、On  Time  株価バナーと情報処理装置との間で定期的な送受信が行なわれることにより、最新の株価が表示される。
【０２０１】
On  Time  株価バナーが表示されているウェブページとは別に、第2の画像データプログラム製品と第2の情報処理装置との間のみで、双方向データ送受信を行なうことにより、ユーザーはウェブページ内記載の他の情報（この場合はBIGLOBE政治・経済TOPページ記載の情報）を閲覧しながら、自動的に最新の株価情報を獲得することが可能である。
【０２０２】
また、指示情報またはOn  Time  株価バナー１４０内のプログラムの設定により1分間隔また数秒間隔（数秒いないでもよい）での最新株価の表示も可能である。また141内に新たな会社名または新たなコードを入力することにより、他の会社の新たな情報を表示することも可能である。
【０２０３】
また、表示される株価１４４、１４６、１４８の最新株価情報を時系列に並べてで表すことも可能であり、時系列の図で表示させることも可能である。
【０２０４】
また、検索した順番に、複数の会社の最新株価情報および更新情報を同時に表示することも可能である。
【０２０５】
また、情報処理サーバー２２と他の複数の企業情報が格納された図1の第三者情報処理サーバー１６のように、他の情報処理サーバーと連動させることにより、例えば、帝国データバンク等の企業情報の提供会社が運営するサーバーであれば、前述の入力情報である会社名/コードを２１：情報処理サーバーが受信し、当該会社名にあった株価以外の他の会社情報を第三者情報処理サーバーから抽出し、指示情報Ｓ７１６内に株価とあわせて返信することにより、On  Time  株価バナー１４０内にて、株価以外の最新の会社情報を表示することも可能となる。
【０２０６】
結果として、ユーザーはBIGLOBE政治・経済TOPページ１３０内で、当該証券会社の運用するウェブページへの転送やBIGLOBEページ内での移動をすること無く、最新の株価情報の取得が可能となり、On  Time  株価バナー１４０がデジタル映像ページ内、例えばドラマやニュース等の番組映像内に表示されていたとすれば、ユーザーはドラマやニュースを見ながら、目的の会社の株価情報を検索することができ、また随時更新された最新の株価をディスプレイ上で閲覧する事ができるようになる。
【０２０７】
[実施例]
第５の発明を活用した場合について説明する。前述のように、ｂｉｇｌｏｂｅドメイン内のBIGLOBE政治・経済TOPページ１３０と当該ウェブページ内に表示されたOn  Time  株価バナー１４０Ａは表示された時点で、通信系統4を通じて第1の情報処理装置Ａとの通信を常時開始しているが、
第5の発明によると、当該ウェブページ１３０は通信を開始しているが第2の画像データプログラム製品により制作されたOn  Time  株価バナー１４０は、第2の情報処理装置2となんら通信を行なっていない状態である。
【０２０８】
On  Time  株価バナー１４０内に設定されている各プログラムオブジェクトのプログラムに応じて、入力し、On  Time  株価バナー140Bのステップまで到達したところで「検索」ボタン１４２をクリックすると、前述同様に入力情報確認プログラムＳ７０６により入力情報送信プログラムＳ707が起動し、初めて、入力情報送信プログラムＳ７０７により、通信開始用の指示情報が入力情報とは別に、予め設定したコード値を送信し、情報受信・返信サーバー２１を通じて、情報処理サーバー２２との通信を開始する。
【０２０９】
これにより、多数（例えば１０，０００あるいは１００,０００端末）のユーザー端末装置によりアクセス可能な状態となるが、同時にウェブページ１３０内のOn  Time  株価バナー１４０Ａ が表示されたとしても、ユーザーがユーザー端末装置により、「検索」ボタン１４２をクリックするまでは、情報受信・返信サーバー２１や情報処理サーバー２２との通信が開始せず、On  Time  株価バナー１４０Ａを表示したユーザーが全員同時に「検索」ボタン１４２をクリックすることは通常ではあり得ないので、第５の発明によって、余分な通信を回避する事ができ、On  Time  株価バナーと第2の情報処理装置２との通信負荷を大幅に軽減することができる。
【０２１０】
特に、来訪者数の多いポータルサイトと呼ばれる媒体者のウェブサイトに、ウェブサイト運用者とは別の広告出稿主等である第三者が運用するサーバーとの双方向通信が可能な第2の画像プログラム製品を活用することになると、常時通信をした場合に、ユーザがユーザー端末装置に第2の画像プログラム製品を表示した回数分に相当するアクセスが第2の情報処理装置２１に対して発生するため、バナー広告表示先（この場合はBIGLOBE）のウェブサイト運用サーバーと異なり、一時的な集中かつ大量なアクセスに耐えうるだけの規模や容量を想定した情報処理サーバーを必要としないなどの利点がる。
【０２１１】
[実施例]
第６の発明を活用した場合について説明する。
【０２１２】
前述のように、ｂｉｇｌｏｂｅ１３０ドメイン内のBIGLOBE政治・経済TOPページと当該ウェブページ内に表示されたOn  Time  株価バナー１４０Ａは表示された時点で、通信系統４を通じて第1の情報処理装置Ａとの通信を常時開始しているが、
第6の発明によると、ウェブページ１３０は通信を開始していても、第2の画像データプログラム製品により制作されたOn  Time  株価バナー１４０は当該証券会社が運用する第2の情報処理装置2となんら通信を行なっていない状態である。
【０２１３】
On  Time  株価バナー１４０内に設定されている各プログラムオブジェクトのプログラムに応じて、入力し、On  Time  株価バナー１４０Ｂのステップまで到達したところで「検索」ボタン１４２をクリックすると、前述同様に、入力情報確認プログラムＳ７０６により入力情報送信プログラムＳ７０７が起動し、通信開始用の指示情報が入力情報とは別に、予め設定したあるコード値を送信し、情報受信・返信サーバー２１を通じて、情報処理サーバー２２との通信を開始する。
【０２１４】
これと同時に、情報処理サーバー２２内に設定された第2の画像データプログラム製品送受信情報の処理プログラム２３との通信が開始されたこと事を認識し、同時On  Time  株価バナー１４０からのデータのみを受け付けるように設定されたデータ送受信用プログラムファイルＰ２が起動する。
【０２１５】
On  Time  株価バナー１４０からのデータのみを受け付けるように設定するには、On  Time  株価バナー１４０が表示されているウェブページ１３０のドメイン名指定（この場合はbiglobe.ne.jp  やIPでもよい）や予めバナー内に組み込まれたID等その他On  Time  株価バナー１４０を特定もしくは識別できる固有の情報を持たせておき、この特定の情報に基づいてデータ送受信用プログラムファイルＰ２が送信されるように設定されていればよい。
【０２１６】
On  Time  株価バナー１４０がプログラムファイルＰ２を第2の情報処理装置2から読み込む際には、プログラムファイルの配信場所や当該バナーの専用プログラムファイルであることが識別できるよう、固有のIP、ドメイン名もしくは、IDもしくは特定の、識別できる固有の情報をプログラムファイル内に持たせることにより、専用のプログラムファイルＰ２しか読み込むことができないよう設定されていればよい。
【０２１７】
第6の発明によると、このプログラムファイルが情報処理サーバー２２から送信されると同時に、On  Time  株価バナー１４０がこのファイルを読み込み、当該プログラムファイル内に入力情報Ｓ７１５が格納され、さらにまた入力情報送信プログラムにより第2の情報処理装置に送信される。
【０２１８】
情報処理サーバー２２は、On  Time  株価バナーから送られてきたことをこの当該プログラムファイルを受信することで認識し、初めて指示情報を生成する。
【０２１９】
生成された指示情報は、また当該プログラムファイル内に格納され、指示情報Ｓ７１６としてOn  Time  株価バナー１４０に送信される。
On  Time  株価バナー１４０内の、指示情報受信プログラムＳ７０８は、情報処理サーバー２２から送られてきた正当な指示情報であることを認識した後に、指示情報プログラムの実行へと進み、On  Time  株価バナー１４０Ｃ、１４０Ｄのようにプログラムオブジェクトが稼動することで、ユーザーの目的にあった最新の株価情報を表示また自動再検索を行なうこととなる。
【０２２０】
これにより、多数（例えば  １０，０００あるいは100,000端末）あるユーザー端末装置によりアクセス可能な状態となっているが、同時にウェブページ１３０内のOn  Time  株価バナー１４０Ａが表示されたとしても、ユーザーがユーザー端末装置により、「検索」ボタン１４２をクリックするまでは、情報受信・返信サーバー２１や情報処理サーバー２２との通信が開始せず、On  Time  株価バナー１４０Ａを表示したユーザーが全員同時に「検索」ボタン142をクリックすることは通常ではあり得ないため、第６の発明によって、余分な通信を回避する事ができ、On  Time  株価バナー１４０Ａと情報処理装置との通信負荷を大幅に軽減することができると同時に、固有のプログラムファイルでの送受信を行なうことにより、全く別の第三者から送られてくる、不正確な情報の第2の画像データプログラム製品が送受信することを回避することができ、高度なセキュリティーを保ったままで、当該証券会社は第2の画像データプログラム製品を活用して、最新の株価情報をユーザーに提供することができ、所定の目的を達成することが可能である。
【０２２１】
[実施例]
本発明の別の実施の形態によれば、第1の画像データプログラム製品を活用した場合について図8を基に説明する。
【０２２２】
図8はパソコン通販のDELL（Dell Inc. 商標登録であり、以下同様）が第1の画像データプログラム製品を活用して、キャンペーン対象商品であるパソコンの情報提供と販売サービスをポータルサイトであるinfoseekのパソコン・携帯コーナー（ウェブページ）の閲覧者に対して提供しているものを想定したものである。
【０２２３】
この場合、ｉｎｆｏｓｅｅｋ.  ｃｏ.  ｊｐ. ドメインのウェブページを運用するサーバーが図1の情報処理装置1であり、ｉｎｆｏｓｅｅｋ.  ｃｏ.  ｊｐ. ドメイン内で展開される、様々なコーナーのウェブページを構成するコンテンツと同様に、パソコン・携帯コーナのページを構成するコンテンツを配信することができるよう情報配信受信サーバー１１内に設定されており、DELLがサービスの目的を達成できるように制作された第1の画像データプログラム製品も同時に当該情報処理装置内にてinfoseekドメイン内のパソコン・携帯ページのTOPページ150（以降、「infoseeｋ  パソコン・携帯TOP」という。）に表示されるように設定されている。
【０２２４】
さらに、情報処理サーバー１２として複数台（一台でもよい）ある情報処理装置の一部に、第1の画像データプログラム製品からの送信データを受信し、受信したデータを処理し、処理した結果を返信するためのソフトウェアプログラム（第1の画像データプログラム製品送信情報の処理プログラム13）が設定されている。
【０２２５】
ユーザー端末装置３の操作により、ディスプレイ装置31にinfoseekパソコン・携帯ＴＯＰ150が表示されており、ページの一部には第1の画像データプログラム製品により制作されたＤＥＬＬのキャンペーン対象商品であるパソコンの情報提供と販売サービスバナー（以下「情報提供・販売バナー」という。）160Aが表示されている。
【０２２６】
図4で表わすと、infoseeｋ  パソコン・携帯TOP がウェブページ（デジタル映像ページ）１５、情報提供・販売バナーが画像データ５である。
情報提供・販売バナー１６０Ａ内には、当該バナーで購入することができるパソコン（商品）の最新情報１６２と、商品を選択できるラジオボタン１６１、また詳細説明を当該バナー上に表示する指示を出すための［詳細説明]ボタン１６２、選択した商品を購入するための画面を当該バナー上に表示するための指示を出すための購入ボタン１６３が表示されている。
【０２２７】
図4で説明すると、商品の最新情報１６２、これら商品選択用ラジオボタン１６１や［詳細説明]ボタン１６２、購入ボタン１６３は複数のプログラムオブジェクト50A・・・で構成されている。
【０２２８】
また、場合によって、入力欄は１個または複数のボタンやチェックボックス等で構成されていてもよい。
【０２２９】
情報提供・販売バナー１６０Ｂにおいてユーザー端末装置３により、各プログムオブジェクトの情報入力プログラムの要求に応じて、ユーザーが目的としている商品を選択し１６２、［詳細説明]ボタン１６６をクリックすると、入力情報可否プログラムＳ５０２により、入力情報の可否が判断され、「可」（Yes）の場合は入力継続判断プログラムＳ５０４により継続かどうか（情報入力が完了かどうか）の判断が下される。
この場合は、入力継続判断プログラムＳ５０４により、目的とする商品の詳細情報を検索するための情報として、これ以上の情報入力が必要ないと判断され、入力情報送信プログラムＳ５０７が起動し、これにより、先に入力した商品名（目的としている商品コードでもよい。その他場合によっては、入力時間やその他キーとなる情報も含まれる。また、場合によっては、入力した全部の情報だけでなく「コード」だけのように一部の情報の場合もある。）が入力情報Ｓ５１５として情報処理装置内１の情報配信・受信サーバー１１に送信される。
【０２３０】
当該入力情報を情報処理サーバー１２が受信した後に、第1の画像データプログラム製品送信情報の処理プログラム１３内にて、データが格納され、格納されたことを認識した後に、当該入力情報に含まれる、商品名もしくは商品名を判断できるコードの場合はそのコードに一致する最新の商品情報および商品の画像を情報処理サーバー12内から抽出し、当該抽出情報と新たなプログラムオブジェクトへの指示情報が生成され、指示情報Ｓ５１６としての情報提供・販売バナー１６０Ｂに返信される。
【０２３１】
また、場合によっては、予め当該バナー内にて商品内容、商品を表す画像が組み込まれていて［詳細説明]ボタン１６６をクリックすると、入力継続判断プログラムＳ５０４の判断により継続「Ｙｅｓ」と判断され、新しいプログラムオブジェクトを起動させて、データの送受信を行なわず選択した商品の情報を当該バナー内に表示してもよい。
【０２３２】
図８で表わすとおり、既存のバナーだと、この時点で他のURL（ドメイン）で運用されているウェブページに転送されるか、他のページの再読み込みがブラウザー内で自動的に行なわれることにより、表示変更が行なわれ、情報処理装置１内で、入力したデータが正しいかどうかの判断を行なうが、第1の画像プログラム製品で制作された情報提供・販売バナー１６２は、プログラムオブジェクト内の各プログラムにより入力内容がチェックされた後に、正しいデータとして、情報処理装置に送信される。
【０２３３】
返信された指示情報Ｓ５１６を、情報提供・販売バナー１６０Ｂ内の指示情報受信プログラムが受信することで、情報提供・販売バナー１６０Ｂにて選択した商品に基づいて、情報提供・販売バナー１６０Ｃのように、商品画像１６８、商品詳細説明１６９、［戻る]ボタン１７０、購入する場合に必要な画面への進むための購入ボタンが表示される。
【０２３４】
この場合の指示情報Ｓ５１６には、具体的には、各種情報や画像を表示するための指示情報が含まれている。
【０２３５】
また場合によっては、商品画像１６９だけでなく各種ボタンを表す画像が含まれていてもよい。
【０２３６】
よって、情報処理装置１より返信された指示情報Ｓ５１６を指示情報受信プログラムＳ５０８が受信した時に、指示情報実行プロググラムＳ５０９が起動し、指示情報Ｓ５１６内に含まれる、各種画像や情報が表示されるよう、指示情報表示プログラムＳ５１０に指示することで、情報提供・販売バナー１６０Ｃが表示される。
【０２３７】
また、場合によっては、情報処理サーバー１２内で在庫状況をチェックし、在庫状況を指示情報Ｓ５１６に返信することにより、最新の在庫状況を表示することもできるし、価格が変動していれば、その価格状況もあわせて返信することにより、最新の価格もリアルタイムに表示することができる。
【０２３８】
第１の発明によれば、この時点で、ユーザーはinfoseekパソコン・携帯ＴＯＰ１５０から他のページに強制的もしくは自動的に移動されること無く、また情報提供・販売バナー１４０Ｃを含めたページ全体の再読み込みが行なわれること無く、第1の画像データプログラム製品を活用した情報提供・販売バナー１６２内にて、最新の情報の提供と詳細の情報提供が可能となる。
【０２３９】
さらに、指示情報Ｓ５１６内に、自動的に選択した商品の情報を情報処理装置１に送信する指示情報が含まれていた場合は、他のユーザーが購入することで減っていく在庫状況が自動的に変更されたり、また商品が無くなった場合には新たな代替商品の詳細を表示することもできる。
【０２４０】
情報提供・販売バナー１６０Ｄは、情報提供・販売バナー１６０Ｃにてユーザーが当該選択商品を購入することを決定し、購入ボタン１７１をクリックしたことにより、予め当該バナーに設定してあった新たなプログラムオブジェクトが起動し、選択した商品名１７２、購入のための決済情報入力欄１７３、前ステップ１６０Ｃに戻るための［戻る］ボタン１７４と次のプログラムオブジェクトを起動させるための［次へ］ボタン１７５が予め当該バナーに設定され、これらが表示されているものである。
【０２４１】
ユーザー端末装置により各プロググラムオブジェクトの情報入力プログラムの要求に応じて名前（ＡＡＡＢＢＢＣ）、住所（ＫＫＫＤＤＤ）、電話、カード会社名、カード、有効期限を入力し、［
次へ］ボタン１７５をクリックすると
情報入力可否プログラムにより、入力情報の可否が判断され、入力情報が正しい（Ｙｅｓ）の場合は入力継続判断プログラムＳ５０４により入力継続の判断が行なわれ、この場合は入力継続（Ｙｅｓ）と判断され、入力情報を表示するための新たなプログラムオブジェクトが起動する。
【０２４２】
これにより情報提供・販売バナー１６０Ｅには情報提供・販売バナー１６０Ｄにて入力された情報が目視にて確認できるように表示され、［戻る]ボタン１７７と決済ボタン１７８が表示されていて、このプログラムオブジェクトには、情報入力プログラムＳ５０１と入力情報確認プログラムＳ５０６にて構成されていてもよい。
ユーザーが目視にて、入力情報を確認することでもし間違っていたら［戻る]ボタン１７７をクリックすることにより、情報提供・販売バナー１６０Ｄに戻り再入力することもできる。
【０２４３】
次に、ユーザーが決済ボタン１７８をクリックすることにより、情報入力プログラムＳ５０１から情報入力確認プログラムＳ５０６により、入力情報を認識し、入力情報送信プログラムＳ５０７が起動することにより、当該決済情報が新たな入力情報Ｓ５１５として情報処理装置内１の情報配信・受信サーバー１１に送信される。
【０２４４】
送信される情報の中には、入力情報だけでなく、選択商品の金額や、場合によっては決済ボタン１７８をクリックした時点の日時等が含まれる場合もある。
当該入力情報を情報処理サーバー１２が受信した後に、第1の画像データプログラム製品送信情報の処理プログラム１３内にて、データが格納され、格納されたことを認識した後に、カード決済情報に基づいた決済処理がされて、決済の結果が生成され、新たな指示情報Ｓ５１６として、情報提供・販売バナー１６０Ｅに返信される。
返信された指示情報Ｓ５１６を指示情報受信プログラムＳ５０８が受信し、指示情報実行プログラムＳ５０９が起動することにより指示情報表示プログラムＳ５１０が起動し、情報提供・販売バナー１６０Ｆのように、情報提供・販売バナー内に購入したユーザーに対するＤＥＬＬ側のコメント１８１や決済結果情報１７９として、承認日（2003/11/20）や商品番号、承認金額が表示される。
【０２４５】
この場合の指示情報Ｓ５１６には、コメント１８１、決済結果情報１７９の他に、160Ｆにて表示するための指示情報も含まれていることになる。
【０２４６】
また、情報提供・販売バナー１６０Ｅにて決済ボタン１７８をクリックし、情報処理装置１に入力情報Ｓ５１５が送信され決済処理を情報処理サーバー１２内で行ったときに、有効期限が無効/カードが無効/決済金額が利用限度額を超えている等の理由によりカード決済が承認できないと判断した場合は、情報処理装置１から返信される指示情報Ｓ５１６には、決済無効な旨通知するコメントや決済無効な旨表示するための決済結果情報１７９が含まれている。
【０２４７】
この場合は、［戻る]ボタン１８０をクリックすると再度決済情報を入力するステップの報提供・販売バナー１６０Ｄに戻るよう設定されていてもよい。
また、ある場合においては、再度また報提供・販売バナー１６０Ａのような最初のステップに戻してもよい。
【０２４８】
また、ある場合においては、付属品やその他のサービスを購入するための商品情報の表示や選択できるラジオボタンが表示されるように予め、情報提供・販売バナーに設定して置くことにより、関連商品の販売に繋げてもよい。
【０２４９】
また、図1の第三者情報処理サーバー１６がカード会社の決済処理サーバーである場合は、カード会社の決済サーバーと複数台連動させることにより、情報提供・販売バナー１６０Ｅの時点で決済ボタン１７８をクリックすると、決済情報としての入力情報Ｓ５１５を情報処理サーバー１２が受信した後に、第1の画像データプログラム製品送信情報の処理プログラム１３内にて、データが格納され、格納されたことを認識した後に、通信系統４を通じて、カード会社の決済処理サーバーである第三者情報処理サーバー１６に送信され、決済結果が情報処理サーバー１２に返信されるようになり、この決済結果が決済結果情報１７９に表示されるようになり、複数のカード会社の決済機能と連動させることも可能となる。
【０２５０】
また、別の場合では、コンビニエンスストアやインターネットバンキングとも同様に連動させることにより、カードを使用する場合だけで無く、他の様々な決済手段により、第１の画像プログラム製品を活用した当該バナーにて、商品を購入することが可能となる。
【０２５１】
第１の発明を上記パソコンの情報提供と販売サービスをポータルサイトのパソコン・携帯コーナー（ウェブページ）の閲覧者に対して提供することにより、結果として、ユーザーはinfoseekパソコン・携帯ＴＯＰ１５０ページ内で、ＤＥＬＬの運用するウェブページへの転送また、infoseekページ内での移動をすること無く、最新の情報の収集や、最新情報に基づいた商品やサービスの購入ができることになる。
【０２５２】
また、DELL側にとっては、一つのバナー内で、最新の情報を提供することができ、さらにユーザーにストレスを与えること無く商品やサービスの販売が可能となり、売上増加が見込めることが可能である。
【０２５３】
また、情報提供・販売バナーがデジタル映像ページ内、例えばドラマやニュース等の番組映像内に表示されていたとすれば、ユーザーはドラマやニュースを見ながら、最新の情報を収集し、購入することができるし、通販番組であれば、番組内で説明している商品を、コールセンターに電話することで購入する必要が無く、番組を見ながら番組を表示しているユーザー端末装置による当該バナーへの入力を行なうことにより、購入することができるようになる。
【０２５４】
infoseekのようなウェブサイト運用者またデジタル映像ページを提供する番組提供者側にすれば、当該バナーを表示しているページや番組から移動する必要がないため、ウェブページの滞在時間の増加が見込め、番組提供者とすれば視聴率の増加にも繋がる。
【０２５５】
[第２の発明への適用例]
第２の発明に適用した場合について説明する。前述のように、infoseek.co.jpドメイン内のinfoseekパソコン・携帯ＴＯＰページ150と当該ウェブページ内に表示された情報提供・販売バナー１６０Aは表示された時点で、通信系統４を通じて情報処理装置との通信を常時開始しているが、
第2の発明によると、当該ウェブページ１５０は通信を開始しているが第1の画像データプログラム製品により制作された情報提供・販売バナー１６０はなんら通信を行なっていない状態である。
【０２５６】
情報提供・販売バナー１６０内に設定されている各プログラムオブジェクトのプログラムに応じて、入力し、情報提供・販売バナー１６０Ｂのステップまで到達したところで［詳細説明]ボタン１６６をクリックすると前述同様に入力情報確認プログラムにより入力情報送信プログラムＳ５０７が起動し、初めて、入力情報送信プログラムＳ５０１により、通信開始用の指示情報が入力情報とは別に、予め設定したあるコード値を送信し、情報配信・受信サーバー１１を通じて、情報処理サーバー１２との通信を開始する。
【０２５７】
これにより、多数（例えば  １０，０００あるいは100,000端末）あるユーザー端末装置によりアクセス可能な状態となっているが、同時にウェブページ１５０内の情報提供・販売バナー１６０Ａ  が表示されたとしても、ユーザーがユーザー端末装置により、［詳細説明]ボタン１６６をクリックするまでは、情報配信・受信サーバー１１や情報処理サーバー１２との通信が開始せず、情報提供・販売バナー１６０Aを表示したユーザーが全員しかも同時に［詳細説明]ボタン１６６をクリックすることは通常ではあり得ないため、第2の発明によって、余分な通信を回避することができ、情報提供・販売バナー１６０と情報処理装置１との通信負荷を大幅に軽減することができる。
【０２５８】
同様に、情報提供・販売バナー１６０Cから１６０Eまでは当該バナーはなんらの通信も行なっておらず、決済ボタン１７８を押した時点で情報配信・受信サーバー１１を通じて、情報処理サーバー１２との通信を開始し始めるようになる。
【０２５９】
当該バナー内にて入力チェックや入力確認、入力情報の認識や判断を完結するできることを特徴としているために、サーバーとの最低限の通信のみで、バナーを通じた双方向コミュニケーションが可能である。
【０２６０】
[第３の発明への適用例]
前述のように、infoseek.co.jpドメイン内のinfoseekパソコン・携帯ＴＯＰページ１５０と当該ウェブページ内に表示された情報提供・販売バナー１６０Ａ  は表示された時点で、通信系統４を通じて情報処理装置との通信を常時開始しているが、
第3の発明によると、ウェブページ１５０は通信を開始していても、第1の画像データプログラム製品により制作された情報提供・販売バナー１６０はなんら通信を行なっていない状態である。
【０２６１】
情報提供・販売バナー１６０内に設定されている各プログラムオブジェクトのプログラムに応じて、入力し、情報提供・販売バナー１６０Ｂのステップまで到達したところで、［詳細説明]ボタン１６６をクリックすると、前述同様に入力情報確認プログラムＳ５０６により入力情報送信プログラムS ５０７が起動し、通信開始用の指示情報が入力情報とは別に、予め設定したあるコード値を送信し、情報配信・受信サーバー１１を通じて、情報処理サーバー１２との通信を開始し始める。
【０２６２】
情報提供・販売バナー１６０Ｃから１６０Ｅのステップの間も前述と同様になんらの通信も行なっていない状態で、決済ボタン１７８をクリックした時点で入力情報確認プログラムＳ５０６により入力情報送信プログラムS ５０７が起動し、通信開始用の指示情報が入力情報とは別に、予め設定したあるコード値を送信し、情報配信・受信サーバー１１を通じて、情報処理サーバー１２との通信を開始し始める。
【０２６３】
これと同時に、情報処理サーバー１２内に設定された画像データプログラム製品送受信情報の処理プログラム１３との通信が開始されたことを認識し、同時に情報提供・販売バナー１６０からのデータのみを受付けるように設定されたデータ送受信用プログラムファイルＰ１が起動する。
【０２６４】
情報提供・販売バナー１６０からのデータのみを受け付けるように設定するには、情報提供・販売バナーが表示されているウェブページのドメイン名指定（この場合はinfoseek.co.jp  であったり、IPアドレスでもよい）、予めバナー内に組み込まれたID等その他情報提供・販売バナーを特定もしくは識別できる固有の情報を持たせておいてもよく、この特定の情報に基づいてデータ送受信用プログラムファイルＰ１が送信されるように設定されていればよい。
【０２６５】
また、情報提供・販売バナー１６０がプログラムファイルを情報処理装置１から読み込む際には、プログラムファイルの配信場所や当該バナーの専用プログラムファイルであることが識別できるよう、固有のIPやドメイン名もしくは、IDもしくは特定の、識別できる固有の情報をプログラムファイル内に持たせることにより、専用のプログラムファイルのみを読み込むことができるように設定されていればよい。
【０２６６】
第3の発明によると、このプログラムファイルが情報処理サーバー１２から送信されると同時に、画情報提供・販売バナー１６０がこのファイルを読み込み、当該プログラムファイル内に入力情報Ｓ５１５が格納され、指示情報Ｓ５１５が含まれたプログラムファイルＰ２が入力情報送信プログラムＳ５０７により情報処理装置１に送信される。
【０２６７】
情報処理サーバー１２は、情報提供・販売バナー１６０から送られてきたことをこの当該プログラムファイルＰ２を受信することで認識し、初めて指示情報を生成する。
【０２６８】
生成された指示情報はまた当該プログラムファイル内に格納され、指示情報S５１６として情報提供・販売バナー１６０に対して送信される。
【０２６９】
情報提供・販売バナー内の、指示情報受信プログラムS５０８は、情報処理サーバー１２から送られてきた正当な指示情報であることを認識した後に、指示情報実行プログラムＳ５０９の実行へと進み、情報提供・販売バナー１６０Cや１６０Fのようにプログラムオブジェクトが稼動することで、ユーザーの目的にあった、情報の提供や、商品またサービスの売買が可能になる。
【０２７０】
これにより、多数（例えば  １０，０００あるいは100,000端末）あるユーザー端末装置によりアクセス可能な状態となっているが、同時にウェブページ１５０内の情報提供・販売バナー１６０Aが表示されたとしても、ユーザーがユーザー端末装置により、［詳細説明]ボタン１６６や決済ボタン１７８をクリックするまでは、情報配信・受信サーバー１１や情報処理サーバー１２との通信が開始せず、情報提供・販売バナー１６０Bや１６０Eを表示したユーザーが全員しかも同時に詳細説明１６６や決済178ボタンをクリックすることは通常ではあり得ないため、第3の発明によって、余分な通信を回避することができ、情報提供・販売バナー１６０と情報処理装置１との通信負荷を大幅に軽減することができると同時に、固有のプログラムファイルでの送受信を行なうことにより、全く別の第三者から送られてくる、不正確な情報の第1の画像データプログラム製品が送受信することを回避することができ、高度なセキュリティーを保ったままで、決済情報や個人情報の双方向通信が第1の画像データプログラム製品をすることにより可能となり、目的のサービスを達成することが可能となる。
【０２７１】
[第４の発明を第1の画像データプログラム製品に適用した場合]
図8はパソコン通販のDELL（Dell Inc. 商標登録であり以下同様）はが第2の画像データプログラム製品を活用して、キャンペーン対象商品であるパソコンの情報提供と販売サービスをポータルサイトであるinfoseekのパソコン・携帯コーナー（ウェブページ）の閲覧者に対して提供しているものを想定したものである。
【０２７２】
この場合、ｉｎｆｏｓｅｅｋ.  ｃｏ.  ｊｐ.  ドメインのウェブページを運用するサーバーが図2の第1の情報処理装置Ａであり、 ｉｎｆｏｓｅｅｋ.  ｃｏ.  ｊｐ. ドメイン内で展開される、様々なコーナーのウェブページを構成するコンテンツと同様に、パソコン・携帯コーナのページを構成するコンテンツを配信することができるよう情報配信受信サーバーＡ１内に設定されており、DELLがサービスの目的を達成できるように制作された第２の画像データプログラム製品も同時に当該情報処理装置内にてinfoseekドメイン内のパソコン・携帯ページのTOPページ１５０（「infoseeｋ  パソコン・携帯TOP」という。）に表示されるように設定されている。
【０２７３】
さらに、第2の情報処理装置２内には、第２の画像データプログラム製品とのデータ通信ができるよう、情報受信・返信サーバー２１、第２の画像データプログラム製品からの送信データを受信し、受信したデータを処理し、処理した結果を返信するためのソフトウェアプログラム（第2の画像データプログラム製品送信情報の処理プログラム２３）が設定されている。また、ハードウェアである情報受信・返信サーバー２１、情報処理サーバ２２は一台で構成されている場合もあり、また複数台で構成されていてよい。
【０２７４】
ユーザー端末装置３の操作により、ディスプレイ装置３１にinfoseekパソコン・携帯ＴＯＰ１５０が表示されており、ページの一部に第２の画像データプログラム製品により制作されたＤＥＬＬのキャンペーン対象商品であるパソコンの情報提供と販売サービスバナー（以下「情報提供・販売バナー」という。）１６０Ａが表示されている。
【０２７５】
図５で表わすと、infoseeｋ  パソコン・携帯TOP１５０ がウェブページ（デジタル映像ページ）Ａ２  、情報提供・販売バナー１６０Ａが画像データ６である。
【０２７６】
情報提供・販売バナー１６０Ａ内には、当該バナーで購入することができるパソコン（商品）の最新情報１６２と、商品を選択できるラジオボタン１６１、また詳細説明を当該バナー上に表示する指示を出すための［詳細説明]ボタン１６２、選択した商品を購入するための画面を当該バナー上に表示するための指示を出すための購入ボタン１６３が表示されているが、
図５で説明すると、商品の最新情報１６２、これら商品選択用ラジオボタン１６１や［詳細説明]ボタン１６２、購入ボタン１６３は複数のプログラムオブジェクト50A・・・で構成されている。
【０２７７】
また、ある場合においては、目的に応じて一つまたは複数の入力欄がボタンやチェックボックス等で構成されていてもよい。
【０２７８】
情報提供・販売バナー１６０Ｂにおいてユーザー端末装置３により、各プログムオブジェクトの情報入力プログラムＳ７０１の要求に応じて、ユーザーが目的としている商品を選択し（１６２）、［詳細説明]ボタン１６６をクリックすると、入力情報可否プログラムＳ７０２により、入力情報の可否が判断され、「可」（Yes）の場合は入力継続判断プログラムＳ７０４により継続かどうか（情報入力が完了かどうか）の判断が下される。
この場合は、入力継続判断プログラムＳ７０４により、目的とする商品の詳細情報を検索するための情報として、これ以上の情報入力が必要ないと判断され、入力情報送信プログラムＳ７０７が起動し、これにより、先に入力した商品名（目的としている商品コードでもよい。その他場合によっては、入力時間やその他キーとなる情報も含まれる。また、場合によっては、入力した全部の情報だけでなく「コード」だけのように一部の情報の場合もある。）が入力情報Ｓ７１５として、第2の情報処理装置内２内の情報受信・返信サーバー２１に送信される。
【０２７９】
ここでは、第2の画像データプログラム製品で制作されたＤＥＬＬの情報提供・販売バナー１６０は、当該バナーが一部表示されているinfoseekパソコン・携帯ＴＯＰ１５０を配信し、また運用している第1の情報処理装置Ａとは全く別の、ＤＥＬＬが当該バナー１６０を通じてサービスを提供するために運用している第2の情報処理装置２とのデータ通信を行う。
【０２８０】
ここでは、ＤＥＬＬが直接運用する第２の情報処理装置２を想定しているが、ＤＥＬＬが第三者に委託して運用しているものでもよい。
【０２８１】
当該入力情報を情報処理サーバー２２が受信した後に、第２の画像データプログラム製品送信情報の処理プログラム２３内にて、データが格納され、格納されたことを認識した後に、当該入力情報に含まれる、商品名もしくは商品名を判断できるコードの場合はそのコードに一致する最新の商品情報および商品の画像を情報処理サーバー２２内から抽出し、当該抽出情報と新たなプログラムオブジェクトへの指示情報が生成され、指示情報Ｓ７１６としての情報提供・販売バナー１６０Ｂに返信される。
【０２８２】
また、場合によっては、予め当該バナー内にて商品内容、商品を表す画像が組み込まれていて［詳細説明]ボタン１６６をクリックすると入力継続判断プログラムＳ７０４の判断により継続「Ｙｅｓ」と判断され、新しいプログラムオブジェクトを起動させることにより、データの送受信を行なわず選択した商品の情報を当該バナー内に表示してもよい。
【０２８３】
図８で表すとおり、既存のバナーでは、この時点で他のURL（ドメイン）で運用されているウェブページに転送されるか、他のページの再読み込みがブラウザー内で自動的もしくは強制的に行なわれることにより、表示変更が行なわれ、当該バナーの提供主のウェブページを運用する（この場合は、ＤＥＬＬのwww1.jp.dell.com ドメインのウェブページが想定される）第2の情報処理装置２内で、入力したデータが正しいかどうかの判断を行なうが、第２の画像プログラム製品で制作された情報提供・販売バナー１６０は、プログラムオブジェクト内の各プログラムにより入力内容がチェックされた後に、正しいデータとして、情報処理装置に送信される。
【０２８４】
返信された指示情報Ｓ７１６を、情報提供・販売バナー１６０Ｂ内の指示情報受信プログラムＳ７０８が受信すると、情報提供・販売バナー１６０Ｂにて選択した商品に基づいて、情報提供・販売バナー１６０Ｃで示すように、商品画像１６８、商品詳細説明１６９、［戻る]ボタン１７０、購入する場合に必要な画面１７１に進むための購入ボタンが表示される。
この場合の指示情報Ｓ７１６には、具体的には、各種情報や画像を表示するための指示情報が含まれている。
また場合によっては、商品画像１６９だけでなく各種ボタンを表す画像が含まれていてもよい。
よって、第2の情報処理装置２より返信された指示情報Ｓ７１６を指示情報受信プログラムＳ７０８が受信した時に、指示情報実行プロググラムＳ７０９が起動し、指示情報内に含まれる、各種画像や情報が表示されるよう、指示情報表示プログラムＳ７１０に指示することで、情報提供・販売バナー１６０Ｃが表示される。
【０２８５】
また、場合によっては、第2の情報処理装置２内の情報処理サーバー２２内で在庫状況をチェックし、在庫状況を指示情報Ｓ７１６に返信することにより、最新の在庫状況を表示することもできるし、価格が変動していれば、その価格状況もあわせて返信することにより、最新の価格もリアルタイムで表示することができる。
【０２８６】
この時点で、ユーザーはinfoseekパソコン・携帯ＴＯＰ１５０から他のページに強制的もしくは自動的に移動されること無く、また情報提供・販売バナー１４０Ｃを含めたページ全体の再読み込みが行なわれることも無く、第２の画像データプログラム製品を活用した情報提供・販売バナー１６０内にて、最新の情報の提供と詳細の情報提供が可能となっている。
【０２８７】
さらに、指示情報Ｓ７１６内に、ユーザーが選択した商品の情報を自動的に第２の情報処理装置２に送信する指示情報が含まれていた場合は、他のユーザーが購入することで減っていく在庫状況が自動的に変更されたり、また商品が無くなった場合には新たな代替商品の詳細を表示することもできる。逐次タイムリーにそして自動的に変わっていく在庫状況を当該バナー１６０で、他の商品情報を閲覧しながら、確認することができる。
【０２８８】
情報提供・販売バナー１６０Ｄは、情報提供・販売バナー１６０Ｃにてユーザーが当該選択商品を購入することを決定し、購入ボタン１７１をクリックしたことにより、予め当該バナーに設定されている新たなプログラムオブジェクトが起動し、選択した商品名１７２、購入のための決済情報入力欄１７３、前ステップ１６０Ｃに戻るため［戻る]ボタン１７４と次のプログラムオブジェクトを起動させるための「次へ」ボタン１７５が予め当該バナーに設定されており、これらが表示されているものである。
【０２８９】
ユーザー端末装置３により各プロググラムオブジェクトの情報入力プログラムの要求に応じて名前（ＡＡＡＢＢＢＣ）、住所（ＫＫＫＤＤＤ）、電話、カード会社名、カード、有効期限等を入力し、「次へ」ボタン１７５をクリックすると、情報入力可否プログラムＳ７０２により入力情報の可否が判断され、入力情報が正しい（Ｙｅｓ）場合は入力継続判断プログラムＳ７０４により入力継続の判断が行なわれ、この場合は入力継続（Ｙｅｓ）と判断され、入力情報を表示するための新たなプログラムオブジェクトが起動する。
【０２９０】
これにより情報提供・販売バナー１６０Ｅには情報提供・販売バナー１６０Ｄにて入力された情報が目視にて確認できるように表示され（１７０）、［戻る]ボタン１７７と決済ボタン１７８が表示されていて、このプログラムオブジェクトには、情報入力プログラムＳ７０１と入力情報確認プログラムＳ７０６にて構成されていてもよい。
ユーザーが目視にて、入力情報を確認することで、もし間違っていたら「戻る」ボタン１７７をクリックすることにより、情報提供・販売バナー１６０Ｄに戻り再入力することもできる。
【０２９１】
次に、ユーザーが決済ボタン１７８をクリックすることにより、情報入力プログラムＳ７０１から情報入力確認プログラムＳ７０６により、入力情報を認識し、入力情報送信プログラムＳ７０７が起動し、当該決済情報が新たな入力情報Ｓ７１５として第2の情報処理装置２内の情報受信・返信サーバー２１に送信される。
送信される情報の中には、入力情報だけでなく、選択商品の金額や、場合によっては決済ボタン１７８をクリックした時点の日時等が含まれていてもよい。
当該入力情報を情報処理サーバー２２が受信した後に、第２の画像データプログラム製品送信情報の処理プログラム２３内にて、データが格納され、格納されたことを認識した後に、カード決済情報に基づいた決済処理がされて、決済の結果が生成され、新たな指示情報Ｓ７１６として、情報提供・販売バナー１６０Ｅに返信される。
【０２９２】
返信された指示情報Ｓ７１６を指示情報受信プログラムＳ７０８が受信し、指示情報実行プログラムＳ７０９が起動することにより、指示情報表示プログラムＳ７１０が起動し、情報提供・販売バナー１６０Ｆで示す情報提供・販売バナー内に購入したユーザーに対するＤＥＬＬ側のコメント１８１や決済結果情報１７９として、承認日（2003/11/20）や商品番号、承認金額が表示される。
【０２９３】
この場合の指示情報Ｓ７１６には、コメント１８１、決済結果情報１７９の他に、情報提供・販売バナー160Ｆにて表示するための指示情報表示プログラムＳ７１０を起動させるための指示情報も含まれている。
また、情報提供・販売バナー１６０Ｅにて決済ボタン１７８をクリックし、第２の情報処理装置２に入力情報Ｓ７１５が送信され決済処理を情報処理サーバー２２内で行ったときに、有効期限が無効/カードが無効/決済金額が利用限度額を超えている等の理由によりカード決済が承認できないと判断した場合は、第２の情報処理装置２から返信される指示情報には、決済無効な旨通知するコメントや決済無効な旨表示するための決済結果情報１７９が含まれている。
【０２９４】
この場合は、［戻る]ボタン１８０をクリックすると再度決済情報を入力するステップ１６０Ｄに戻るよう設定されていてもよい。
また、ある場合においては、再度また情報提供・販売バナー１６０Ａのような最初のステップに戻してもよい。
さらに、目的の商品を購入することができたユーザーに対して、付属品やその他のサービスを購入するための商品情報の表示や選択できるラジオボタンが表示されるように予め情報提供・販売バナーに設定して置くことにより、関連商品の販売に繋げてもよい。
【０２９５】
また、カード会社の決済処理サーバーと第２の情報処理装置２内の情報処理サーバーを連動させることにより、情報提供・販売バナー１６０Ｅの時点で決済ボタン１７８をクリックすると、決済情報としての入力情報Ｓ５１５を報処理サーバー２２が受信した後に、第1の画像データプログラム製品送信情報の処理プログラム２３内にて、データが格納され、格納されたことを認識した後に、通信系統４を通じて、カード会社の決済処理サーバーである第三者情報処理サーバーに送信され、決済結果が情報処理サーバー２２に返信されるようになり、この決済結果が１７９に表示されるようになり、複数のカード会社の決済機能と連動させることも可能となる。
【０２９６】
また、別の場合では、コンビニエンスストアやインターネットバンキングとも同様に連動させることにより、カードだけで無く様々な決済手段により、第１の画像プログラム製品を活用した当該バナーにて、商品を購入することが可能となる。
【０２９７】
第2の画像データプログラム製品を活用したＤＥＬＬの情報提供・販売バナーは、当該バナーの表示ページ（ウェブページもしくはデジタル映像ページ）および表示ページを運用する第1の情報処理装置Ａを介さず、全く別な自社または自社が委託して運用するＤＥＬＬのドメインの運用サーバーである、第2の情報処理装置２との双方通信を行なうことにより、結果として、ユーザーはinfoseekパソコン・携帯ＴＯＰ１５０ページ内で、ＤＥＬＬの運用するウェブページへの転送また、infoseekページ内での移動をすること無く、最新の情報の収集や、最新情報に基づいた商品またサービスの購入ができることになる。
【０２９８】
また、DELL側にとっては、一つのバナー内で、最新の情報を提供することができ、さらに、ユーザーにストレスを与えること無く、商品またサービスの販売が可能となり、売上増加が見込めることが可能である。
【０２９９】
また、情報提供・販売バナーがデジタル映像ページ内、例えばドラマやニュース等の番組映像内に表示されていたとすれば、ユーザーはドラマやニュースを見ながら、最新の情報を収集し、購入することができるし、通販番組であれば、番組内で説明している商品を、コールセンターに電話することで購入する必要が無く、番組を見ながら番組を表示しているユーザー端末装置による当該バナーへの入力を行なうことにより、購入することができるようになる。
【０３００】
infoseekのようなウェブサイト運用者またデジタル映像ページを提供する番組提供者側にすれば、当該バナーを表示しているページや番組から移動する必要がないため、ウェブページの滞在時間の増加が見込め、番組提供者とすれば視聴率の増加にも繋がる。
【０３０１】
[第５の発明への適用例]
前述のように、infoseek.co.jpドメイン内のinfoseekパソコン・携帯ＴＯＰ１５０ページと当該ウェブページ内に表示された１６０Ａは表示された時点で、通信系統４を通じて第1の情報処理装置Ａとの通信を常時開始しているが、
第5の発明によると、当該ウェブページ１５０は通信を開始しているが第２の画像データプログラム製品により制作された情報提供・販売バナー１６０Ａはなんら通信を行なっていない状態である。
【０３０２】
情報提供・販売バナー内に設定されている各プログラムオブジェクトのプログラムに応じて、入力し、１６０Ｂのステップまで到達したところで［詳細説明]ボタンをクリックすると前述同様に入力情報確認プログラムにより入力情報送信プログラムＳ７０７が起動し、初めて、入力情報送信プログラムにより、通信開始用の指示情報が入力情報とは別に、予め設定したあるコード値となるものを送信し、第２の情報通信処理装置２内の情報受信・返信サーバー２１を通じて、情報処理サーバー２２との通信を開始し始めるようになる。
【０３０３】
これにより、多数（例えば  １０，０００あるいは100,000端末）あるユーザー端末装置によりアクセス可能な状態となっているが、同時にウェブページ１５０内の情報提供・販売バナー１６０Ａ  が表示されたとしても、ユーザーがユーザー端末装置３により、詳細説明ボタン１６６をクリックするまでは、第２の情報処理装置２内の情報配信・受信サーバー２１や情報処理サーバー２２との通信が開始せず、情報提供・販売バナー１６０Ａを表示したユーザーが、全員しかも同時に詳細説明ボタン１６６をクリックすることは通常ではあり得ないため、第５の発明によって、余分な通信を回避することができ、情報提供・販売バナー１６０Ａと情報処理装置２との通信負荷を大幅に軽減することができる。
【０３０４】
同様に、情報提供・販売バナー１６０Cから１６０Eまでは当該バナーはなんらの通信も行なっておらず、決済ボタン１７８を押した時点で情報配信・受信サーバー２１を通じて、情報処理サーバー２２との通信を開始し始めるようになる。
当該バナー内にて入力チェックや入力確認、入力情報の認識や判断を完結するできることを特徴としてもいるために、サーバーとの最低限の通信のみで、バナーを通じた双方向コミュニケーションが可能となる。
【０３０５】
特に、来訪者数の多いポータルサイトと呼ばれる媒体者のウェブサイトに、ウェブサイト運用者とは別の広告出稿主等である第三者が運用するサーバーとの双方向通信が可能な第2の画像プログラム製品を活用することになると、常時通信をした場合に、ユーザーがユーザー端末装置３に第2の画像プログラム製品を表示した回数分に相当するアクセスが第2の情報処理装置２に対して発生するため、バナー広告表示先（この場合はｉnfoseekである）のウェブサイト運用サーバーと異なり、一時的な集中かつ大量なアクセスに耐えうるだけの規模や容量を想定した情報処理サーバーを必要としないので、余分な負荷がかかることを回避することができるなど非常に大きな効果を発揮するものである。
【０３０６】
[第６の発明への適用例]
前述のように、infoseek.co.jpドメイン内のinfoseekパソコン・携帯ＴＯＰ１５０ページと当該ウェブページ１５０内に表示された情報提供・販売バナー１６０Ａ  は、これらが表示された時点で、通信系統４を通じて第1の情報処理装置Ａとの通信のみを常時開始しているが、
第６の発明によると、ウェブページ１５０は通信を開始していても、第２の画像データプログラム製品により制作されたＤＥＬＬの情報提供・販売バナー１６０Ａはなんら通信を行なっていない状態である。
【０３０７】
情報提供・販売バナー１６０Ａ内に設定されている各プログラムオブジェクトのプログラムに応じて、入力し、情報提供・販売バナー１６０Ｂのステップまで到達したところで詳細説明ボタン１６６をクリックすると前述同様に入力情報確認プログラムＳ７０６により入力情報送信プログラムS ７０７が初めて起動し、通信開始用の指示情報が入力情報とは別に、予め設定してあるコード値を送信し、第2の情報処理装置２内の情報受信・返信サーバー２１を通じて、情報処理サーバー２２との通信を開始し始める。
【０３０８】
情報提供・販売バナー１６０Ｃから１６０Ｅのステップの間も前述と同様になんらの通信も行なっていない状態で、決済ボタン１７８をクリックした時点で、入力情報確認プログラムＳ７０６により入力情報送信プログラムＳ７０７が、初めて起動し、通信開始用の指示情報が入力情報とは別に、予め設定したあるコード値を送信し、情報配信・受信サーバー２１を通じて、情報処理サーバー２２との通信を開始し始める。
【０３０９】
これと同時に、情報処理サーバー２２内に設定された画像データプログラム製品送受信情報の処理プログラム２３との通信が開始されたことを認識し、同時に情報提供・販売バナー１６０からのデータしか受付けないように設定されたデータ送受信用プログラムファイルＰ２が起動する。
【０３１０】
情報提供・販売バナー１６０からのデータしか受付けないようにな設定するにはとは、例えば、情報提供・販売バナー１６０が表示されているウェブページ１５０のドメイン名指定（この場合はinfoseek.co.jpであったり、IPアドレスでもよい）や予め当該バナー１６０内に組み込まれたID等その他情報提供・販売バナー１６０を特定もしくは識別できる固有の情報を持たせておいてもよく、この特定の情報に基づいてデータ送受信用プログラムファイルＰ２が送信されるように設定されていればよい。
【０３１１】
また、情報提供・販売バナー１６０がプログラムファイルを第2の情報処理装置２から読み込む際には、プログラムファイルの配信場所や当該バナー１６０の専用プログラムファイルであることが識別できるように、固有のIPやドメイン名もしくはIDまたは特定の識別できる固有の情報をプログラムファイル内に持たせることにより、専用のプログラムファイルしか読み込むことができないよう設定されていればよい。
【０３１２】
第６の発明によると、このプログラムファイルが情報処理サーバーから送信されると同時に、画情報提供・販売バナー１６０Ａがこのファイルを読み込み、当該プログラムファイル内に入力情報Ｓ７１５が格納され、さらにまた入力情報送信プログラムＳ７０７により第２の情報処理装置２に送信される。
【０３１３】
情報処理サーバー２２は、情報提供・販売バナー１６０Ａから送られてきたことをこの当該プログラムファイルを受信することで認識し、初めて指示情報Ｓ７１６を生成する。
生成された指示情報Ｓ７１６はまた当該プログラムファイル内に格納され、指示情報Ｓ７１６として情報提供・販売バナー１６０Ａに対して送信される。
【０３１４】
情報提供・販売バナー１６０Ａ内の、指示情報受信プログラムＳ７０８は、情報処理サーバー２２から送られてきた正当な指示情報であることを認識した後に、指示情報実行プログラムＳ７０９の実行へと進み、情報提供・販売バナー１６０Ｃや１６０Ｆのようにプログラムオブジェクトが稼動することで、ユーザーの目的にあった、情報の提供や、商品またサービスの売買が可能になる。
【０３１５】
これにより、多数（例えば  １０，０００あるいは100,000端末）あるユーザー端末装置３によりアクセス可能な状態となっているが、同時にウェブページ１５０内の情報提供・販売バナー１６０Ａが表示されたとしても、ユーザーがユーザー端末装置により、詳細説明ボタン１６６や決済ボタン１７８をクリックするまでは、情報配信・受信サーバー２１や情報処理サーバー２２との通信が開始せず、情報提供・販売バナー１６０Ｂや１６０Eを表示したユーザーが全員しかも同時に詳細説明ボタン１６６や決済ボタン１７８ボタンをクリックすることは通常ではあり得ないため、第６の発明によって、余分な通信を回避することができ、情報提供・販売バナー１６０Ａ……と第2の情報処理装置２との通信負荷を大幅に軽減することができると同時に、固有のプログラムファイルでの送受信を行なうことにより、全く別の第三者から送られてくる、不正確な情報を第２の画像データプログラム製品２が送受信することを回避することができ、高度なセキュリティーを保ったままで、決済情報や個人情報の双方向通信が第２の画像データプログラム製品を利用することにより可能となり、よって目的のサービスを達成することが可能となる。
【０３１６】
[本発明のその他の適用例]
第2の画像データプログラム製品を活用して、先の例ではＤＥＬＬ一1社を想定しての適用展開事例であったが、第2の画像データプログラム製品を活用した情報提供・販売バナーが通信することができる、第2の情報処理装置を第3、第4・・・と複数の事業会社が運営する複数の情報処理装置と連動させることにより、例えば、第2の情報処理装置がＤＥＬＬ、第３の情報処理装置がＮＥＣ、第4の情報処理装置が東芝のように、パソコン情報を提供する複数の会社の情報処理装置と通信を可能にするように設定することにより、複数の会社のパソコンの在庫状況等最新の情報を獲得することができ、複数の会社の製品の中から、ユーザーは目的の商品を選択することができ、最終的には購入も可能となる。
【０３１７】
また、別の場合においては、図8の情報提供・販売バナー１６０Ａ内に商品名を入力することができる入力欄を設定し、ユーザーが入力欄に入力した情報を第2の情報処理サーバーに送信し、送信した結果をまた当該バナーに返信することにより、特定の商品だけでなく、ユーザーが求める商品にあった情報を提供し、またその情報に基づいた商品購入も可能となる。
【０３１８】
また別の場合においては、検索した商品名の商品を製造販売している各メーカーが運用するウェブサイトに顧客を誘導することもできる。  既存のバナーであると、一つのバナーに対する誘導先（リンク先）ウェブページは一つであるが、当該バナーはユーザーの目的にあったウェブページへの誘導も可能となる。
【０３１９】
また、別の場合においては、商品がパソコンに限るわけではなく、食品、飲料、賃貸マンション等の特定の複数の事業会社の運用する情報処理装置と連動させることにより、活用範囲は広範である。
更に、本発明は、例えば、リアルタイムで変動する株価に基づいた株の売買、オークション形式での物品売買におけるリアルタイムに変更される価格の表示や、その変動価格に基づいた物品の売買、乗車券・航空券・映画館、劇場、コンサート・旅行・旅館・ホテル・スポーツイベント等のリアルタイムな空き情報の表示や、その変動価格に基づいたチケット等の売買、その他の情報の表示では、生産状況、在庫状況、配達状況等をリアルタイムに表示するなどに利用でき、その利用範囲は広範である。
【図面の簡単な説明】
【０３２０】
【図１】本発明の実施におけるユーザー端末装置と情報処理装置との関係を説明するためのブロック図である。
【図２】本発明の実施におけるユーザー端末装置と第1の情報処理装置と第２の情報処理装置との関係を説明するためのブロック図である。
【図３】本発明の実施におけるユーザー端末装置の環境を説明するための図である。
【図４】本発明の実施におけるユーザー端末装置に第１の画像データプログラム製品が表示された状態における第１の画像データプログラム製品内におけるプログラムフローおよび当該プログラム製品と情報処理装置との関係を説明するための図である。
【図５】本発明の実施におけるユーザー端末装置に第２の画像データプログラム製品が表示された状態における第２の画像データプログラム製品内におけるプログラムフローおよび当該プログラム製品と第２の情報処理装置との関係を説明するための図である。
【図６】本発明の実施における、画像データプログラム製品を実際に活用したアンケートキャンペーンにおいて入力および抽選が行われている具体例を説明するための図である。
【図７】本発明の実施における、画像データプログラム製品を実際に活用した株価検索サービスにより株価を検索し自動的にリアルタイムに株価を表示している具体例を説明するための図である。
【図８】本発明の実施における、画像データプログラム製品を実際に活用したパソコンの販売サービスにおいて実際に商品情報を確認し、購入依頼および決済が行われている具体例を説明するための図である。
【符号の説明】
【０３２１】
１            情報処理装置
２            第２の情報処理装置
３            ユーザー端末装置
４            通信系統
５、６        画像データ（第１の画像データプログラム製品）
１１          情報配信・受信サーバー
１２          情報処理サーバー
１３          第１の画像データプログラム製品送信情報の処理プログラム
１４、１５  ウエブページ（デジタル映像構成コンテンツ）
１６          第３者情報処理サーバー
２１          情報受信・返信サーバー
２２          情報処理サーバー
２３          第２の画像データプログラム製品送信情報の処理プログラム
３１          ディスプレイ装置
３２          コンピューター本体
３３          キーボード
３４          マウス
３５          携帯電話／ＰＤＡ
３６          リモコン
【図１】
0004731814.tif 000002
【図２】
0004731814.tif 000003
【図３】
0004731814.tif 000004
【図４】
0004731814.tif 000005
【図５】
0004731814.tif 000006
【図６】
0004731814.tif 000007
【図７】
0004731814.tif 000008
【図８】
0004731814.tif 000009